(57)【特許請求の範囲】
【請求項１】
ワイヤレス通信のための方法であって、
主要サービングセルによって、共有アクセス高周波帯域において近隣セルが動作すると決定することと、
前記主要サービングセルによって、前記共有アクセス高周波帯域において前記近隣セルが動作するという前記決定に少なくとも一部基づいて、前記近隣セルが主要サービングセルとしてサービスするのを禁止されることを示すシグナリング情報をモバイルデバイスに送信することとを備える、方法。
【請求項２】
前記シグナリング情報を送信することが、
専用シグナリングリソースを使用して前記シグナリング情報を送信することを備える、請求項１に記載の方法。
【請求項３】
前記シグナリング情報が、無線リソース制御（ＲＲＣ）シグナリング情報を備える、請求項２に記載の方法。
【請求項４】
前記シグナリング情報が、前記モバイルデバイスが無線リソース制御（ＲＲＣ）アイドル状態にあるときに前記モバイルデバイスが監視すべきではない、前記共有アクセス高周波帯域の１つまたは複数の周波数を示す、請求項３に記載の方法。
【請求項５】
前記共有アクセス高周波帯域の１つまたは複数の周波数が、セル再選択の優先度を割り当てられない、請求項１に記載の方法。
【請求項６】
前記シグナリング情報が、前記モバイルデバイスがある時間期間の間主要サービングセルとして前記近隣セルにアクセスするのを禁止されることを示す、請求項１に記載の方法。
【請求項７】
前記共有アクセス高周波帯域の１つまたは複数の周波数範囲が主要サービングセルの選択に適していないと決定することをさらに備え、前記１つまたは複数の周波数範囲が前記近隣セルによって使用される周波数を含み、
前記シグナリング情報の少なくとも一部分が、前記共有アクセス高周波帯域の前記１つまたは複数の周波数範囲を一意に特定する、１つまたは複数の周波数バンド識別子またはチャネル識別子を備える、請求項１に記載の方法。
【請求項８】
前記共有アクセス高周波帯域の周波数範囲が主要サービングセルの選択に適していないと決定することをさらに備え、前記周波数範囲が前記近隣セルによって使用される周波数を含み、
前記シグナリング情報の少なくとも一部分が、前記共有アクセス高周波帯域の前記周波数範囲を特定する、複数の周波数バンド識別子またはチャネル識別子の１つを備える、請求項１に記載の方法。
【請求項９】
前記モバイルデバイスが無線リソース制御（ＲＲＣ）接続状態にあるとき、前記共有アクセス高周波帯域において前記近隣セルが動作するという前記決定に少なくとも一部基づいて、前記近隣セルへの前記モバイルデバイスのハンドオーバーを防ぐことをさらに備える、請求項１に記載の方法。
【請求項１０】
前記シグナリング情報が、前記モバイルデバイスが無線リソース制御（ＲＲＣ）アイドル状態にあるときにセル再選択の検討に利用不可能である、前記共有アクセス高周波帯域の１つまたは複数の周波数を示す、請求項１に記載の方法。
【請求項１１】
前記共有アクセス高周波帯域において動作する前記近隣セルにアクセスするための要求を前記モバイルデバイスから受信することと、
前記共有アクセス高周波帯域において動作する前記近隣セルにアクセスするための前記要求を拒絶することとをさらに備え、
前記シグナリング情報を前記送信することが、前記近隣セルが前記主要サービングセルとしてサービスするのを禁止されることを示す原因値を前記モバイルデバイスに送信することを備える、請求項１に記載の方法。
【請求項１２】
ワイヤレス通信のための方法であって、
主要サービングセルに対応する第１の基地局からのシグナリング情報をモバイルデバイスにおいて受信することと、ここにおいて前記シグナリング情報は、第２の基地局に対応する近隣セルが共有アクセス高周波帯域において動作するという前記主要サービングセルの決定に伴って送信され、前記近隣セルが主要サービングセルとしてサービスするのを禁止されることを示す、
前記受信されたシグナリング情報に少なくとも一部基づいて、前記主要サービングセルとしてサービスするのを禁止されるものとして前記近隣セルを特定することとを備える、方法。
【請求項１３】
ワイヤレス通信のための装置であって、
主要サービングセルによって、共有アクセス高周波帯域において近隣セルが動作すると決定するための手段と、
前記主要サービングセルによって、前記共有アクセス高周波帯域において前記近隣セルが動作するという前記決定に少なくとも一部基づいて、前記近隣セルが主要サービングセルとしてサービスするのを禁止されることを示すシグナリング情報をモバイルデバイスに送信するための手段とを備える、装置。
【請求項１４】
ワイヤレス通信のための装置であって、
主要サービングセルに対応する第１の基地局からのシグナリング情報をモバイルデバイスにおいて受信するための手段と、ここにおいて前記シグナリング情報は、第２の基地局に対応する近隣セルが共有アクセス高周波帯域において動作するという前記主要サービングセルの決定に伴って送信され、前記近隣セルが主要サービングセルとしてサービスするのを禁止されることを示す、
前記受信されたシグナリング情報に少なくとも一部基づいて、前記主要サービングセルとしてサービスするのを禁止されるものとして前記近隣セルを特定するための手段とを備える、装置。
【請求項１５】
実行されると、コンピュータに、請求項１〜１２のうちのいずれか一項に従った方法を行わせる命令を備える、コンピュータプログラム。
【発明の詳細な説明】
【相互参照】
【０００１】
[0001]  本特許出願は、２０１４年１０月３１日に出願された、Ｊｉ他による米国特許出願第１４／５２９，９９７号、「Ｔｅｃｈｎｉｑｕｅｓ  ｆｏｒ  Ｉｄｅｎｔｉｆｙｉｎｇ  Ｓｅｃｏｎｄａｒｙ  Ｓｅｒｖｉｎｇ  Ｃｅｌｌｓ  Ｏｐｅｒａｔｉｎｇ  ｉｎ  Ｓｈａｒｅｄ  Ａｃｃｅｓｓ  Ｒａｄｉｏ  Ｆｒｅｑｕｅｎｃｙ  Ｓｐｅｃｔｒｕｍ」、および、２０１４年１月２０日に出願され、「Ｔｅｃｈｎｉｑｕｅｓ  ｆｏｒ  Ｉｄｅｎｔｉｆｙｉｎｇ  Ｓｅｃｏｎｄａｒｙ  Ｓｅｒｖｉｎｇ  Ｃｅｌｌｓ  Ｏｐｅｒａｔｉｎｇ  ｉｎ  Ｓｈａｒｅｄ  Ａｃｃｅｓｓ  Ｒａｄｉｏ  Ｆｒｅｑｕｅｎｃｙ  Ｓｐｅｃｔｒｕｍ」と題される、Ｊｉ他による米国仮特許出願第６１／９２９，４７９号の優先権を主張するもので、これらの各々は本出願の譲受人に譲渡される。
【技術分野】
【０００２】
[0002]  本開示は、例えば、ワイヤレス通信システムに関し、より具体的には、共有アクセス高周波帯域(shared access radio frequency spectrum)において動作する二次的サービングセルを特定するための技法に関する。
【背景技術】
【０００３】
[0003]  ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることが可能な多重接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]  例えば、ワイヤレス多元接続通信システムは、各々が複数のモバイルデバイスのための通信を同時にサポートする、いくつかの基地局を含み得る。基地局は、（例えば、基地局からモバイルデバイスへの送信のために）ダウンリンクチャネル上で、および（例えば、モバイルデバイスから基地局への送信のために）アップリンクチャネル上で、モバイルデバイスと通信できる。
【０００５】
[0005]  モバイルデバイスとの通信のいくつかのモードは、異なる高周波帯域（例えば、免許高周波帯域(licensed radio frequency spectrum)および／または共有アクセス高周波帯域）を通じたモバイルデバイスとの通信を可能にし得る。モバイルデバイスとの通信のいくつかのモードはまた、主要サービングセル(primary serving cell)（例えば、第１の周波数コンポーネントキャリア）を介して、およびオプションで、１つまたは複数の二次的サービングセル（例えば、第２または第３の周波数コンポーネントキャリア）を介して、モバイルデバイスとの通信を可能にし得る。ある条件のもとでは、異なるサービングセルが、異なる高周波帯域を通じてモバイルデバイスと通信し得る。
【発明の概要】
【０００６】
[0006]  本開示は、例えば、共有アクセス高周波帯域において動作する二次的サービングセルを特定するための１つまたは複数の技法に関する。いくつかの例では、ある周波数および／またはサービングセルは、（例えば、使用される無線周波数、干渉、バックホール条件などが原因で）制御信号を扱うことに対してより低い信頼性であり得る。いくつかの例では、共有アクセス高周波帯域の周波数（例えば、Ｗｉ−Ｆｉ（登録商標）高周波帯域、および／または複数のモバイルネットワーク事業者（ＭＮＯ：mobile network operator）がアクセスする権限のある高周波帯域のような、免許不要の使用(unlicensed use)が可能であるので装置がアクセスを争う必要のあり得る高周波帯域）、および／または、そのような共有アクセス高周波帯域を通じて通信するセルは、制御信号を扱うことに対してより低い信頼性であり得る。従って、そのような周波数が主要サービングセルを選択するためにモバイルデバイスによって使用され得ないこと（またはそのような周波数が１つまたは複数の二次的サービングセルを選択するために使用され得ること）、または、そのようなセルが主要セルとしてサービスするのを禁止されること（またはそのようなセルが二次的サービングセルとして動作し得ること）を示すことが、有用であり得る。
【０００７】
[0007]  説明のための例の第１のセットでは、ワイヤレス通信のための第１の方法が説明される。一例において、方法は、共有アクセス高周波帯域においてセルが動作すると決定することと、共有アクセス高周波帯域においてセルが動作するという決定に少なくとも一部基づいて、セルが主要サービングセルとしてサービスするのを禁止されることを示すシグナリング情報をモバイルデバイスに送信することとを含み得る。
【０００８】
[0008]  方法のいくつかの例では、シグナリング情報を送信することは、専用シグナリングリソース(dedicated signaling resources)を使用してシグナリング情報を送信することを含み得る。これらの例では、シグナリング情報は、無線リソース制御（ＲＲＣ：radio resource control）シグナリング情報を含み得る。また、シグナリング情報は、モバイルデバイスがＲＲＣアイドル状態にあるときにモバイルデバイスが監視(monitor)すべきではない、共有アクセス高周波帯域の１つまたは複数の周波数を示し得る。
【０００９】
[0009]  方法のいくつかの例では、共有アクセス高周波帯域の１つまたは複数の周波数は、セル再選択の優先度(cell reselection priority)を割り当てられないことがある。
【００１０】
[0010]  方法のいくつかの例では、シグナリング情報を送信することは、シグナリング情報をブロードキャストすることを含み得る。同じまたは他の例では、シグナリング情報は、モバイルデバイスがある時間期間の間主要サービングセルとしてセルにアクセスするのを禁止されることを示し得る。
【００１１】
[0011]  いくつかの例では、方法は、共有アクセス高周波帯域の１つまたは複数の周波数範囲が主要サービングセルの選択に適していないと決定することを含み得る。１つまたは複数の周波数範囲は、セルによって使用される周波数を含み得る。これらの例では、シグナリング情報の少なくとも一部分は、共有アクセス高周波帯域の１つまたは複数の周波数範囲を一意に特定する(uniquely identify)、１つまたは複数の周波数バンド識別子(frequency band identifiers)またはチャネル識別子(channel identifiers)を含み得る。
【００１２】
[0012]  いくつかの例では、方法は、共有アクセス高周波帯域の周波数範囲が主要サービングセルの選択に適していないと決定することを含み得る。周波数範囲は、セルによって使用される周波数を含み得る。これらの例では、シグナリング情報の少なくとも一部分は、共有アクセス高周波帯域の周波数範囲を特定する、複数の周波数バンド識別子またはチャネル識別子の１つを含み得る。
【００１３】
[0013]  方法のいくつかの例では、シグナリング情報を送信することは、主要同期信号（ＰＳＳ：primary synchronization signal）、二次的同期信号（ＳＳＳ：secondary synchronization signal）、またはセル参照信号（ＣＲＳ：cell reference signal）を使用してシグナリング情報を送信することを含み得る。他の例では、シグナリング情報を送信することは、クリアチャネルアセスメント（ＣＣＡ：clear channel assessment）免除送信（ＣＥＴ）フレームを使用してシグナリング情報を送信することを含み得る。
【００１４】
[0014]  方法のいくつかの例では、シグナリング情報は、マスター情報ブロック（ＭＩＢ：master information block）において送信され得る。いくつかの例では、シグナリング情報は、ＭＩＢに追加される１つまたは複数の情報要素を使用して送信され得る。いくつかの例では、シグナリング情報は、システム情報ブロック（ＳＩＢ：system information block）において送信され得る。いくつかの例では、シグナリング情報は、ＳＩＢに追加される１つまたは複数の情報要素を使用して送信され得る。いくつかの例では、周波数バンド識別子は、セルが主要サービングセルとしてサービスするのを禁止されることを示すために使用され得る。
【００１５】
[0015]  いくつかの例では、方法は、モバイルデバイスがＲＲＣ接続状態にあるとき、共有アクセス高周波帯域においてセルが動作するという決定に少なくとも一部基づいて、セルへのモバイルデバイスのハンドオーバーを防ぐことを含み得る。同じまたは他の例において、シグナリング情報は、モバイルデバイスがＲＲＣアイドル状態にあるとき、セル再選択の検討において利用不可能である共有アクセス高周波帯域の１つまたは複数の周波数を示し得る。
【００１６】
[0016]  いくつかの例では、方法は、共有アクセス高周波帯域において動作するセルにアクセスするためのモバイルデバイスからの要求を受信することと、共有アクセス高周波帯域において動作するセルにアクセスするための要求を拒絶することとを含み得る。これらの例では、シグナリング情報を送信することは、セルが主要サービングセルとしてサービスするのを禁止されることを示す原因値をモバイルデバイスに送信することを含み得る。
【００１７】
[0017]  説明のための例の第２のセットでは、ワイヤレス通信のための装置が説明される。一例では、装置は、共有アクセス高周波帯域においてセルが動作すると決定するための手段を含み得る。装置はまた、共有アクセス高周波帯域においてセルが動作するという決定に少なくとも一部基づいて、セルが主要サービングセルとしてサービスするのを禁止されることを示すシグナリング情報をモバイルデバイスに送信するための手段を含み得る。いくつかの例では、装置はさらに、説明のための例の第１のセットに関して上で説明されたワイヤレス通信のための方法の１つまたは複数の態様を実施するための手段を含み得る。
【００１８】
[0018]  説明のための例の第３のセットでは、ワイヤレス通信のための別の装置が説明される。一例では、装置は、プロセッサと、プロセッサと電子通信しているメモリと、メモリに記憶された命令とを含み得る。命令は、共有アクセス高周波帯域においてセルが動作すると決定し、共有アクセス高周波帯域においてセルが動作するという決定に少なくとも一部基づいて、セルが主要サービングセルとしてサービスするのを禁止されることを示すシグナリング情報をモバイルデバイスに送信するように、プロセッサによって実行可能であり得る。いくつかの例では、命令はまた、説明のための例の第１のセットに関して上で説明されたワイヤレス通信のための方法の１つまたは複数の態様を実施するように、プロセッサによって実行可能であり得る。
【００１９】
[0019]  説明のための例の第４のセットでは、ワイヤレス通信システム中のワイヤレス通信装置による通信のためのコンピュータプログラム製品が説明される。一例では、コンピュータプログラム製品は、ワイヤレス通信装置に、共有アクセス高周波帯域においてセルが動作すると決定させ、共有アクセス高周波帯域においてセルが動作するという決定に少なくとも一部基づいて、セルが主要サービングセルとしてサービスするのを禁止されることを示すシグナリング情報をモバイルデバイスへ送信させるように、プロセッサによって実行可能な命令を記憶した非一時的コンピュータ可読媒体を含み得る。いくつかの例では、命令はまた、ワイヤレス通信装置に、説明のための例の第１のセットに関して上で説明されたワイヤレス通信のための方法の１つまたは複数の態様を実施させるように、プロセッサによって実行可能であり得る。
【００２０】
[0020]  説明のための例の第２のセットでは、ワイヤレス通信のための第２の方法が説明される。一例では、方法は、共有アクセス高周波帯域において動作するセルが主要サービングセルとしてサービスするのを禁止されることを示すシグナリング情報を基地局からモバイルデバイスにおいて受信することを含んでよく、モバイルデバイスは、受信されたシグナリング情報に少なくとも一部基づいて、主要サービングセルとしてサービスするのを禁止されるものとしてセルを特定する。
【００２１】
[0021]  方法のいくつかの例では、シグナリング情報は、専用シグナリングリソースを介して受信され得る。方法の同じまたは他の例では、シグナリング情報は、ＲＲＣシグナリングを介して受信され得る。また、シグナリング情報は、モバイルデバイスがＲＲＣアイドル状態にあるときにモバイルデバイスが監視すべきではない、共有アクセス高周波帯域の１つまたは複数の周波数を示し得る。
【００２２】
[0022]  方法のいくつかの例では、シグナリング情報は、モバイルデバイスがある時間期間の間主要サービングセルとしてセルにアクセスするのを禁止されることを示し得る。
【００２３】
[0023]  方法のいくつかの例では、シグナリング情報の少なくとも一部分は、共有アクセス高周波帯域の１つまたは複数の周波数範囲を一意に特定する、１つまたは複数の周波数バンド識別子またはチャネル識別子を含み得る。１つまたは複数の周波数範囲は、セルによって使用される周波数を含み得る。これらの例では、方法は、共有アクセス高周波帯域の１つまたは複数の周波数範囲が主要サービングセルの選択に適していないと決定することを含み得る。
【００２４】
[0024]  方法のいくつかの例では、シグナリング情報の少なくとも一部分は、共有アクセス高周波帯域の周波数範囲を特定する、複数の周波数バンド識別子またはチャネル識別子の１つを含み得る。周波数範囲は、セルによって使用される周波数を含み得る。これらの例では、方法は、共有アクセス高周波帯域の周波数範囲が主要サービングセルの選択に適していないと決定することを含み得る。
【００２５】
[0025]  方法のいくつかの例において、シグナリング情報は、モバイルデバイスがＲＲＣアイドル状態にあるとき、セル再選択の検討において利用不可能である共有アクセス高周波帯域の１つまたは複数の周波数を示し得る。
【００２６】
[0026]  説明のための例の第６のセットでは、ワイヤレス通信のための別の装置が説明される。一例では、装置は、共有アクセス高周波帯域において動作するセルが主要サービングセルとしてサービスするのを禁止されることを示すシグナリング情報を基地局からモバイルデバイスにおいて受信するための手段を含み得る。装置はまた、受信されたシグナリング情報に少なくとも一部基づいて、主要サービングセルとしてサービスするのを禁止されるものとしてセルを特定するための手段を含み得る。いくつかの例では、装置はさらに、説明のための例の第５のセットに関して上で説明されたワイヤレス通信のための方法の１つまたは複数の態様を実施するための手段を含み得る。
【００２７】
[0027]  説明のための例の第７のセットでは、ワイヤレス通信のための別の装置が説明される。一例では、装置は、プロセッサと、プロセッサと電子通信しているメモリと、メモリに記憶された命令とを含み得る。命令は、共有アクセス高周波帯域において動作するセルが主要サービングセルとしてサービスするのを禁止されることを示すシグナリング情報を基地局からモバイルデバイスにおいて受信するように、プロセッサによって実行可能であり得る。命令はまた、受信されたシグナリング情報に少なくとも一部基づいて、主要サービングセルとしてサービスするのを禁止されるものとしてセルを特定するように、プロセッサによって実行可能であり得る。いくつかの例では、命令はまた、説明のための例の第５のセットに関して上で説明されたワイヤレス通信のための方法の１つまたは複数の態様を実施するように、プロセッサによって実行可能であり得る。
【００２８】
[0028]  説明のための例の第８のセットでは、ワイヤレス通信システム中のワイヤレス通信装置による通信のための別のコンピュータプログラム製品が説明される。一例では、コンピュータプログラム製品は、ワイヤレス通信装置に、共有アクセス高周波帯域において動作するセルが主要サービングセルとしてサービスするのを禁止されることを示すシグナリング情報を基地局からモバイルデバイスにおいて受信させるように、プロセッサによって実行可能な命令を記憶した、非一時的コンピュータ可読媒体を含み得る。命令はまた、ワイヤレス通信装置に、受信されたシグナリング情報に少なくとも一部基づいて、主要サービングセルとしてサービスするのを禁止されるものとしてセルを特定させるように、プロセッサによって実行可能であり得る。いくつかの例では、命令はまた、ワイヤレス通信装置に、説明のための例の第５のセットに関して上で説明されたワイヤレス通信のための方法の１つまたは複数の態様を実施させるように、プロセッサによって実行可能であり得る。
【００２９】
[0029]  説明のための例の第９のセットでは、ワイヤレス通信のための第３の方法が説明される。一例では、方法は、モバイルデバイスによって、モバイルデバイスに記憶されている情報に少なくとも一部基づいて、主要セルとしてサービスするのを禁止されるものとして、共有アクセス高周波帯域において動作するセルを特定することを含み得る。
【００３０】
[0030]  説明のための例の第１０のセットでは、ワイヤレス通信のための装置が説明される。一例では、装置は、モバイルデバイスによって、モバイルデバイスに記憶されている情報に少なくとも一部基づいて、主要サービングセルとしてサービスするのを禁止されるものとして、共有アクセス高周波帯域において動作するセルを特定するための手段を含み得る。
【００３１】
[0031]  説明のための例の第１１のセットでは、ワイヤレス通信のための別の装置が説明される。一例では、方法は、プロセッサと、プロセッサと電子通信しているメモリと、メモリに記憶された命令とを含み得る。命令は、モバイルデバイスによって、モバイルデバイスに記憶されている情報に少なくとも一部基づいて、主要サービングセルとしてサービスするのを禁止されるものとして、共有アクセス高周波帯域において動作するセルを特定するように、プロセッサによって実行可能であり得る。
【００３２】
[0032]  説明のための例の第１２のセットでは、ワイヤレス通信システム中のワイヤレス通信装置による通信のためのコンピュータプログラム製品が説明される。一例では、コンピュータプログラム製品は、ワイヤレス通信装置に、モバイルデバイスによって、モバイルデバイスに記憶されている情報に少なくとも一部基づいて、主要サービングセルとしてサービスするのを禁止されるものとして、共有アクセス高周波帯域において動作するセルを特定させるように、プロセッサによって実行可能な命令を記憶した非一時的コンピュータ可読媒体を含み得る。
【００３３】
[0033]  上では、以下の発明を実施するための形態がより良く理解され得るように、本開示による例の特徴および技術的利点をやや広く概説した。追加の特徴および利点が以下で説明される。開示される概念および特定の実施例は、本開示の同じ目的を実施するために他の構造を変形または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して検討されれば以下の説明からより良く理解されるだろう。各図は、例示および説明のみの目的で与えられ、特許請求の範囲の限界を定めるものとして与えられるものではない。
【００３４】
[0034]  以下の図面を参照することにより、本発明の性質および利点のさらなる理解が実現され得る。添付の図では、同様のコンポーネントまたは特徴は、同じ参照ラベルを有し得る。さらに、同じタイプの様々なコンポーネントは、参照ラベルの後に、ダッシュと、同様のコンポーネントを区別する第２のラベルとを続けることによって区別され得る。本明細書で第１の参照ラベルだけが使用される場合、説明は、第２の参照ラベルにかかわらず、同一の第１の参照ラベルを有する同様のコンポーネントのいずれにも適用可能である。
【図面の簡単な説明】
【００３５】
【図１】本開示の様々な態様による、ワイヤレス通信システムのブロック図を示す。
【図２】本開示の様々な態様による、共有アクセス高周波帯域を使用して様々な状況のもとでＬＴＥ（登録商標）／ＬＴＥ−Ａが展開される、ワイヤレス通信システムを示す。
【図３】本開示の様々な態様による、共有アクセス高周波帯域を使用してスタンドアロンモードでＬＴＥ／ＬＴＥ−Ａが展開される、ワイヤレス通信システムを示す。
【図４】本開示の様々な態様による、ＲＲＣアイドル状態およびＲＲＣ接続状態に従ってモバイルデバイスが動作し得る、ワイヤレス通信のための方法の例を示すフローチャートである。
【図５】本開示の様々な態様による、モバイルデバイスがＲＲＣアイドル状態にあるときのモバイルデバイスと主要サービングセル（ＰＣｅｌｌ）との間のワイヤレス通信の例を示す。
【図６】本開示の様々な態様による、モバイルデバイスがＲＲＣ接続状態にありキャリアアグリゲーション通信モードで動作しているときの、モバイルデバイスと、主要サービングセルと、いくつかの二次的サービングセルとの間のワイヤレス通信の例を示す。
【図７】本開示の様々な態様による、モバイルデバイスとＰＣｅｌｌとの間のメッセージの流れを示す。
【図８】本開示の様々な態様による、モバイルデバイスとＰＣｅｌｌとの間のメッセージの流れを示す。
【図９】本開示の様々な態様による、モバイルデバイス、ＰＣｅｌｌ、第１の近隣セル、および／または第２の近隣セルの間のメッセージの流れを示す。
【図１０】本開示の様々な態様による、モバイルデバイス、Ｐｃｅｌｌ、第１の近隣セル、および／または第２の近隣セルの間のメッセージの流れを示す。
【図１１】本開示の様々な態様による、モバイルデバイス、Ｐｃｅｌｌ、第１の近隣セル、および／または第２の近隣セルの間のメッセージの流れを示す。
【図１２】本開示の様々な態様による、ワイヤレス通信において使用するための装置のブロック図を示す。
【図１３】本開示の様々な態様による、ワイヤレス通信において使用するための装置のブロック図を示す。
【図１４】本開示の様々な態様による、ワイヤレス通信において使用するための装置のブロック図を示す。
【図１５】本開示の様々な態様による、ワイヤレス通信において使用するための装置のブロック図を示す。
【図１６】本開示の様々な態様による、ワイヤレス通信において使用するための装置のブロック図を示す。
【図１７】本開示の様々な態様による、ワイヤレス通信において使用するための装置のブロック図を示す。
【図１８】本開示の様々な態様による、ワイヤレス通信において使用するための基地局（例えば、ｅＮＢ）のブロック図を示す。
【図１９】本開示の様々な態様による、ワイヤレス通信において使用するためのモバイルデバイス（例えば、ＵＥ）のブロック図を示す。
【図２０】本開示の様々な態様による、（例えば、基地局またはセルによる）ワイヤレス通信のための方法の例を示すフローチャートである。
【図２１】本開示の様々な態様による、（例えば、基地局またはセルによる）ワイヤレス通信のための方法の例を示すフローチャートである。
【図２２】本開示の様々な態様による、（例えば、基地局またはセルによる）ワイヤレス通信のための方法の例を示すフローチャートである。
【図２３】本開示の様々な態様による、（例えば、基地局またはセルによる）ワイヤレス通信のための方法の例を示すフローチャートである。
【図２４】本開示の様々な態様による、（例えば、モバイルデバイスによる）ワイヤレス通信のための方法の例を示すフローチャートである。
【図２５】本開示の様々な態様による、（例えば、モバイルデバイスによる）ワイヤレス通信のための方法の例を示すフローチャートである。
【詳細な説明】
【００３６】
[0060]  共有アクセス高周波帯域において動作する二次的サービングセルを特定するための、技法が説明される。いくつかの例では、ある周波数および／またはサービングセルは、（例えば、使用される無線周波数、干渉、バックホール条件などが原因で）制御信号を扱うことに対してより低い信頼性であり得る。いくつかの例では、共有アクセス高周波帯域の周波数（例えば、Ｗｉ−Ｆｉ高周波帯域、および／または複数のＭＮＯがアクセスする権限のある高周波帯域のような、免許不要の使用が可能であるので装置がアクセスを争う必要のあり得る高周波帯域）、および／または、そのような共有アクセス高周波帯域を通じて通信するセルは、制御信号を扱うことに対してより低い信頼性であり得る。従って、そのような周波数が主要サービングセルを選択するためにモバイルデバイスによって使用され得ないこと（またはそのような周波数が１つまたは複数の二次的サービングセルを選択するために使用され得ること）、または、そのようなセルが主要セルとしてサービスするのを禁止されること（またはそのようなセルが二次的サービングセルとして動作し得ること）を示すことが、有用であり得る。
【００３７】
[0061]  本明細書で説明される技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実施し得る。ＣＤＭＡ２０００は、ＩＳ−２０００、ＩＳ−９５およびＩＳ−８５６規格を包含する。ＩＳ−２０００  Ｒｅｌｅａｓｅ  ０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実施できる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（商標）などの無線技術を実施できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ(登録商標)  Ｌｏｎｇ  Ｔｅｒｍ  Ｅｖｏｌｕｔｉｏｎ（ＬＴＥ）およびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明される技法は、上で言及されたシステムおよび無線技術、並びに他のシステムおよび無線技術のために使用され得る。しかしながら、以下の説明は、例としてＬＴＥシステムについて説明し、以下の説明の大部分においてＬＴＥ用語が使用されるが、本技法はＬＴＥ適用例以外に適用可能である。
【００３８】
[0062]  以下の説明は例を与えるものであり、特許請求の範囲に記載される範囲、適用可能性、または例を限定するものではない。本開示の趣旨および範囲から逸脱することなく、論じられる要素の機能および配置に関して変更が行われ得る。様々な例は、適宜、様々な手順またはコンポーネント省略し、置換し、または追加し得る。例えば、説明される方法は、説明されるものとは異なる順序で行われてよく、様々なステップが追加され、省略され、または組み合わされ得る。また、いくつかの例に関して説明される特徴は、他の例において組み合わされ得る。
【００３９】
[0063]  図１は、本開示の様々な態様による、ワイヤレス通信システム１００のブロック図を示す。ワイヤレス通信システム１００は、複数の基地局１０５（例えば、ｅＮＢ）と、いくつかのモバイルデバイス１１５（例えば、ユーザ機器（ＵＥ））と、コアネットワーク１３０とを含み得る。基地局１０５のいくつかは、様々な例ではコアネットワーク１３０の一部または基地局１０５のいくつかであり得る、基地局コントローラ（図示されず）の制御下でモバイルデバイス１１５と通信できる。基地局１０５のいくつかは、バックホール１３２を通じてコアネットワーク１３０と制御情報および／またはユーザデータを通信できる。いくつかの例では、基地局１０５のいくつかは、有線またはワイヤレス通信リンクであり得るバックホールリンク１３４を通じて、互いに直接または間接的に通信できる。ワイヤレス通信システム１００は、複数のキャリア（様々な周波数の波形信号）上での動作をサポートできる。マルチキャリア送信機は、変調された信号を複数のキャリア上で同時に送信できる。例えば、各通信リンク１２５は、様々な無線技術に従って変調されたマルチキャリア信号であり得る。各々の変調された信号は、異なるキャリア上で送られることがあり、制御情報（例えば、参照信号、制御チャネルなど）、オーバーヘッド情報、データなどを搬送できる。
【００４０】
[0064]  基地局１０５は、１つまたは複数の基地局アンテナを介して、モバイルデバイス１１５とワイヤレスに通信し得る。基地局１０５の各々は、それぞれのカバレッジエリア１１０に通信カバレッジを与えることができる。いくつかの例では、基地局１０５は、アクセスポイント、基地局装置（ＢＴＳ：base transceiver station）、無線基地局、無線送受信機、基本サービスセット（ＢＳＳ：basic service set）、拡張サービスセット（ＥＳＳ：extended service set）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、Ｗｉ−Ｆｉノードまたは何らかの他の適切な用語で呼ばれることがある。基地局１０５のためのカバレッジエリア１１０は、カバレッジエリアの一部分のみを構成するセクタに分割され得る（図示されず）。ワイヤレス通信システム１００は、異なるタイプ（例えば、マクロ基地局、マイクロ基地局、および／またはピコ基地局）の基地局１０５を含み得る。基地局１０５はまた、セルラーおよび／またはＷＬＡＮの無線アクセス技術などの異なる無線技術を利用できる。基地局１０５は、同じまたは異なるアクセスネットワークまたは事業者展開と関連付けられ得る。同じもしくは異なるタイプの基地局１０５のカバレッジエリアを含み、同じもしくは異なる無線技術を利用し、および／または同じもしくは異なるアクセスネットワークに属する、異なる基地局１０５のカバレッジエリアは、重複することがある。
【００４１】
[0065]  いくつかの例では、ワイヤレス通信システム１００は、ＬＴＥ／ＬＴＥ−Ａ通信システム（またはネットワーク）を含んでよく、このＬＴＥ／ＬＴＥ−Ａ通信システムは、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う高周波帯域）における、動作または展開の１つまたは複数のモードをサポートできる。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、ｅｖｏｌｖｅｄ  ＮｏｄｅＢまたはｅＮＢという用語は、例えば、基地局１０５を表すために使用され得る。
【００４２】
[0066]  ワイヤレス通信システム１００は、異なるタイプの基地局１０５が様々な地理的領域にカバレッジを与える、異種ＬＴＥ／ＬＴＥ−Ａネットワークであってよく、またはそれを含んでよい。例えば、各基地局１０５は、マクロセル、ピコセル、フェムトセル、および／または他のタイプのセルに通信カバレッジを与え得る。ピコセル、フェムトセル、および／または他のタイプのセルなどのスモールセルは、低電力ノードまたはＬＰＮを含み得る。マクロセルは、例えば、比較的大きい地理的エリア（例えば、半径数キロメートル）をカバーし、ネットワークプロバイダのサービスに加入しているＵＥによる無制限アクセスを可能にし得る。ピコセルは、例えば、比較的小さい地理的エリアをカバーし、ネットワークプロバイダのサービスに加入しているＵＥによる無制限アクセスを可能にし得る。また、フェムトセルは、例えば、比較的小さい地理的エリア（例えば、自宅）をカバーし、無制限アクセスに加えて、フェムトセルとの関連を有するＵＥ（例えば、限定加入者グループ（ＣＳＧ）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数（例えば、２つ、３つ、４つなど）のセルをサポートできる。
【００４３】
[0067]  コアネットワーク１３０は、バックホール１３２（例えば、Ｓ１アプリケーションプロトコルなど）を介して基地局１０５と通信できる。基地局１０５はまた、例えば、バックホールリンク１３４（例えば、Ｘ２アプリケーションプロトコルなど）を介して、および／またはバックホール１３２を介して（例えば、コアネットワーク１３０を通じて）、直接または間接的に互いに通信できる。ワイヤレス通信システム１００は、同期動作または非同期動作をサポートできる。同期動作の場合、ｅＮＢは同様のフレームタイミングおよび／またはゲーティングタイミングを有してよく、異なるｅＮＢからの送信は概ね時間的に揃えられてよい。非同期動作の場合、ｅＮＢは異なるフレームタイミングおよび／またはゲーティングタイミングを有してよく、異なるｅＮＢからの送信は時間的に揃えられないことがある。本明細書で説明される技法は、同期動作または非同期動作のいずれにも使用され得る。
【００４４】
[0068]  モバイルデバイス１１５は、ワイヤレス通信システム１００全体にわたって分散していることがある。モバイルデバイス１１５は、当業者によって、ユーザ機器（ＵＥ）、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。モバイルデバイス１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。モバイルデバイス１１５は、マクロｅＮＢ、ピコｅＮＢ、フェムトｅＮＢ、リレーなどと通信することが可能であり得る。モバイルデバイス１１５はまた、セルラーもしくは他のＷＷＡＮアクセスネットワーク、またはＷＬＡＮアクセスネットワークなどの異なるタイプのアクセスネットワーク上で通信することが可能であり得る。モバイルデバイス１１５との通信のいくつかのモードでは、複数の通信リンク１２５またはチャネル（すなわち、コンポーネントキャリア）を通じて通信が行われてよく、各チャネルはモバイルデバイスといくつかのセル（例えば、いくつかの場合には異なる基地局１０５であり得るサービングセル）の１つとの間のコンポーネントキャリアを使用する。
【００４５】
[0069]  各コンポーネントキャリアは、免許高周波帯域または共有アクセス高周波帯域を通じて使用されてよく、特定の通信モードにおいて使用されるコンポーネントキャリアのセットは、免許高周波帯域を通じて（例えば、モバイルデバイス１１５において）全て受信されてよく、共有アクセス高周波帯域を通じて（例えば、モバイルデバイス１１５において）全て受信されてよく、または、免許高周波帯域と共有アクセス高周波帯域の組合せを通じて（例えば、モバイルデバイス１１５において）受信されてよい。
【００４６】
[0070]  ワイヤレス通信システム１００に示される通信リンク１２５は、アップリンク（ＵＬ：uplink）通信（例えば、モバイルデバイス１１５から基地局１０５への送信）を搬送するためのアップリンクチャネル（コンポーネントキャリアを使用した）、および／または、ダウンリンク（ＤＬ：downlink）通信（例えば、基地局１０５からモバイルデバイス１１５への送信）を搬送するためのダウンリンクチャネル（コンポーネントキャリアを使用した）を含み得る。ＵＬ通信または送信は逆方向リンク通信または送信と呼ばれることもあり、一方、ＤＬ通信または送信は順方向リンク通信または送信と呼ばれることもある。ダウンリンク通信および／またはアップリンク通信は、免許高周波帯域、共有アクセス高周波帯域、または両方を使用して行われ得る。
【００４７】
[0071]  ワイヤレス通信システム１００のいくつかの例では、ＬＴＥ／ＬＴＥ−Ａは、共有アクセス高周波帯域を使用した様々な状況のもとで展開され得る。展開シナリオは、免許高周波帯域におけるＬＴＥ／ＬＴＥ−Ａダウンリンク通信が共有アクセス高周波帯域にオフロードされ得る補助ダウンリンクモードと、ＬＴＥ／ＬＴＥ−Ａダウンリンク通信とＬＴＥ／ＬＴＥ−Ａアップリンク通信の両方が免許高周波帯域から共有アクセス高周波帯域にオフロードされ得るキャリアアグリゲーションモードと、基地局とモバイルデバイスとの間のＬＴＥ／ＬＴＥ−Ａダウンリンク通信およびＬＴＥ／ＬＴＥ−Ａアップリンク通信が共有アクセス高周波帯域において行われ得るスタンドアロンモードとを含み得る。基地局１０５、さらにはモバイルデバイス１１５は、これらまたは同様の動作モードの１つまたは複数をサポートし得る。免許高周波帯域および／または共有アクセス高周波帯域におけるＬＴＥ／ＬＴＥ−Ａダウンリンク通信のための通信リンク１２５では、ＯＦＤＭＡ波形が使用され得るが、免許高周波帯域および／または共有アクセス高周波帯域におけるＬＴＥ／ＬＴＥ−Ａアップリンク通信のための通信リンク１２５では、ＯＦＤＭＡ波形、ＳＣ−ＦＤＭＡ波形、および／またはリソースブロックがインターリーブされたＦＤＭＡ波形が使用され得る。
【００４８】
[0072]  図２は、本開示の様々な態様による、共有アクセス高周波帯域を使用して様々な状況のもとでＬＴＥ／ＬＴＥ−Ａが展開される、ワイヤレス通信システム２００を示す。より具体的には、図２は、ＬＴＥ／ＬＴＥ−Ａが共有アクセス高周波帯域を使用して展開される、補助ダウンリンクモードおよびキャリアアグリゲーションモードの例を示す。ワイヤレス通信システム２００は、図１に関して説明されたワイヤレス通信システム１００の部分の例であり得る。その上、基地局２０５は、図１に関して説明された基地局１０５の１つまたは複数の態様の例であってよく、一方、第１のモバイルデバイス、第２のモバイルデバイス２１５−ａ、および第３のモバイルデバイス２１５−ｂは、図１に関して説明されたモバイルデバイス１１５の１つまたは複数の態様の例であってよい。
【００４９】
[0073]  ワイヤレス通信システム２００における補助ダウンリンクモードの例では、基地局２０５は、ダウンリンクチャネル２２０を使用して第１のモバイルデバイス２１５にＯＦＤＭＡ波形を送信できる。ダウンリンクチャネル２２０は、共有アクセス高周波帯域の中の周波数Ｆ１と関連付けられ得る。基地局２０５は、第１の双方向リンク２２５を使用して第１のモバイルデバイス２１５にＯＦＤＭＡ波形を送信でき、第１の双方向リンク２２５を使用して第１のモバイルデバイス２１５からＳＣ−ＦＤＭＡ波形を受信できる。第１の双方向リンク２２５は、免許高周波帯域の中の周波数Ｆ４と関連付けられ得る。共有アクセス高周波帯域中のダウンリンクチャネル２２０および免許高周波帯域中の第１の双方向リンク２２５は、同時に動作し得る。ダウンリンクチャネル２２０は、基地局２０５のためにダウンリンク容量のオフロードを提供し得る。いくつかの例では、ダウンリンクチャネル２２０は、（例えば、１つのモバイルデバイスに宛てられる）ユニキャストサービスのために、または（例えば、いくつかのモバイルデバイスに宛てられる）マルチキャストサービスのために使用され得る。この状況は、免許高周波帯域を使用しトラフィックおよび／またはシグナリングの混雑の一部を緩和する必要がある、任意のサービスプロバイダ（例えば、ＭＮＯ）に対して生じ得る。
【００５０】
[0074]  ワイヤレス通信システム２００におけるキャリアアグリゲーションモードの一例では、基地局２０５は、第２の双方向リンク２３０を使用して第２のモバイルデバイス２１５−ａにＯＦＤＭＡ波形を送信でき、第２の双方向リンク２３０を使用して第２のモバイルデバイス２１５−ａからＯＦＤＭＡ波形、ＳＣ−ＦＤＭＡ波形、および／またはリソースブロックがインターリーブされたＦＤＭＡ波形を受信できる。第２の双方向リンク２３０は、共有アクセス高周波帯域の中の周波数Ｆ１と関連付けられ得る。基地局２０５はまた、第３の双方向リンク２３５を使用して第２のモバイルデバイス２１５−ａにＯＦＤＭＡ波形を送信でき、第３の双方向リンク２３５を使用して第２のモバイルデバイス２１５−ａからＳＣ−ＦＤＭＡ波形を受信できる。第３の双方向リンク２３５は、免許高周波帯域の中の周波数Ｆ２と関連付けられ得る。第２の双方向リンク２３０は、基地局２０５のためにダウンリンク容量およびアップリンク容量のオフロードを提供し得る。上で説明された補助ダウンリンクのように、この状況は、免許高周波帯域を使用しトラフィックおよび／またはシグナリングの混雑の一部を緩和する必要がある、任意のサービスプロバイダ（例えば、ＭＮＯ）に対して生じ得る。
【００５１】
[0075]  ワイヤレス通信システム２００におけるキャリアアグリゲーションモードの別の例では、基地局２０５は、第４の双方向リンク２４０を使用して第３のモバイルデバイス２１５−ｂにＯＦＤＭＡ波形を送信でき、第４の双方向リンク２４０を使用して第３のモバイルデバイス２１５−ｂからＯＦＤＭＡ波形、ＳＣ−ＦＤＭＡ波形、および／またはリソースブロックがインターリーブされた波形を受信できる。第４の双方向リンク２４０は、共有アクセス高周波帯域の中の周波数Ｆ３と関連付けられ得る。基地局２０５はまた、第５の双方向リンク２４５を使用して第３のモバイルデバイス２１５−ｂにＯＦＤＭＡ波形を送信でき、第５の双方向リンク２４５を使用して第３のモバイルデバイス２１５−ｂからＳＣ−ＦＤＭＡ波形を受信できる。第５の双方向リンク２４５は、免許高周波帯域の中の周波数Ｆ２と関連付けられ得る。第４の双方向リンク２４０は、基地局２０５のためにダウンリンク容量およびアップリンク容量のオフロードを提供し得る。この例および上で与えられた例は、説明の目的で提示され、容量のオフロードのために免許高周波帯域におけるＬＴＥ／ＬＴＥ−Ａと共有アクセス高周波帯域におけるＬＴＥ／ＬＴＥ−Ａとを組み合わせる他の同様の動作モードまたは展開状況が存在し得る。
【００５２】
[0076]  上で説明されたように、共有アクセス高周波帯域におけるＬＴＥ／ＬＴＥ−Ａを使用することによって提供される容量のオフロードから利益を得ることができる１つのタイプのサービスプロバイダは、ＬＴＥ／ＬＴＥ−Ａ免許高周波帯域へのアクセス権を有する従来のＭＮＯである。これらのサービスプロバイダにとって、運用上の例は、免許高周波帯域上のＬＴＥ／ＬＴＥ−Ａ主要コンポーネントキャリア（ＰＣＣ：primary component carrier）と共有アクセス高周波帯域上の少なくとも１つの二次的コンポーネントキャリア（ＳＣＣ：secondary component carrier）とを使用するブートストラップモード（例えば、補助ダウンリンク、キャリアアグリゲーション）を含み得る。
【００５３】
[0077]  キャリアアグリゲーションモードでは、データおよび制御は例えば、免許高周波帯域において（例えば、第１の双方向リンク２２５、第３の双方向リンク２３５、および第５の双方向リンク２４５を介して）通信され得るが、データは例えば、共有アクセス高周波帯域において（例えば、第２の双方向リンク２３０および第４の双方向リンク２４０を介して）通信され得る。共有アクセス高周波帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに属し得る。
【００５４】
[0078]  図３は、本開示の様々な態様による、共有アクセス高周波帯域を使用してスタンドアロンモードでＬＴＥ／ＬＴＥ−Ａが展開される、ワイヤレス通信システム３００を示す。ワイヤレス通信システム３００は、図１および／または図２に関して説明されたワイヤレス通信システム１００および／または２００の部分の例であり得る。その上、基地局３０５は、図１および／または図２に関して説明された基地局１０５および／または２０５の１つまたは複数の態様の例であってよく、一方、モバイルデバイス３１５は、図１および／または図２に関して説明されたモバイルデバイス１１５および／または２１５の１つまたは複数の態様の例であってよい。
【００５５】
[0079]  ワイヤレス通信システム３００におけるスタンドアロンモードの例では、基地局３０５は、双方向リンク３２０を使用してモバイルデバイス３１５にＯＦＤＭＡ波形を送信でき、双方向リンク３２０を使用してモバイルデバイス３１５からＯＦＤＭＡ波形、ＳＣ−ＦＤＭＡ波形、および／またはリソースブロックがインターリーブされたＦＤＭＡ波形を受信できる。双方向リンク３２０は、図２を参照して説明された共有アクセス高周波帯域の中の周波数Ｆ３と関連付けられ得る。スタンドアロンモードは、スタジアム内アクセス（例えば、ユニキャスト、マルチキャスト）などの非従来型のワイヤレスアクセスの状況において使用され得る。この動作モードのサービスプロバイダのタイプの例は、免許高周波帯域へのアクセス権を有していないスタジアム所有者、ケーブル会社、イベントホスト、ホテル、企業、または大規模会社であり得る。
【００５６】
[0080]  モバイルデバイスが、図１、図２、および／または図３に関して説明されたワイヤレス通信システム１００、２００、および／または３００のようなワイヤレス通信システム内で動作するとき、モバイルデバイスは、いくつかの場合、いくつかの無線リソース制御（ＲＲＣ）状態に従って動作し得る。
【００５７】
[0081]  図４は、本開示の様々な態様による、ＲＲＣアイドル状態およびＲＲＣ接続状態に従ってモバイルデバイスが動作し得る、ワイヤレス通信のための方法４００の例を示すフローチャートである。明確にするために、方法４００が、図１、図２、および／または図３に関して説明されたモバイルデバイス１１５、２１５、および／または３１５の１つまたは複数に関して、以下で説明される。いくつかの例では、モバイルデバイス１１５、２１５、および／または３１５の１つのようなモバイルデバイスが、以下で説明される機能を行うようにモバイルデバイスの機能要素を制御するために、コードの１つまたは複数のセットを実行できる。
【００５８】
[0082]  ブロック４０５において、モバイルデバイスはオンになり得る。オンになると、モバイルデバイスは、アクセスすべきセル（例えば、基地局）（例えば、「キャンプオン」すべきセル（例えば、モバイルデバイスが同期してそこから制御通信を受信し得るセル、および、モバイルデバイスがそれを介してワイヤレス通信システムに対して自己を特定し得るセル））を探索できる。セル（例えば、サービングセル）にキャンプオンしているとき、モバイルデバイスは、アイドルモードおよび／または低電力モードで動作でき、これらのモードにおいて、モバイルデバイスは、例えば、モバイルデバイスからのサービス要求によって、または基地局（例えば、図１、図２、および／または図３に関して説明される基地局１０５、２０５、および／または３０５）から受信されるページング要求によって、起動され得る（例えば、アクティブに接続され得る）。キャンプオンすべきセルを発見すると、モバイルデバイスは、ブロック４１０において、ＲＲＣアイドル状態に入り得る。ＲＲＣアイドル状態にある間、モバイルデバイスは、要求され得るように、例えば、デバイスの移動、並びに／または、モバイルデバイス、基地局、および／もしくはモバイルデバイスと基地局との間の通信リンクにおける条件の変化の結果として、セル再選択を行い得る。
【００５９】
[0083]  ブロック４１５において、モバイルデバイスは、定期的に、および／または１つまたは複数の事象の発生により、ＲＲＣ接続状態に入る理由があるかどうかを決定できる。ＲＲＣ接続状態に入る１つの理由は、呼を発信または受信すること、データを送信または受信することなどを目的に、モバイルデバイスがキャンプオンしているサービングセルと通信することである。ＲＲＣ接続状態に入る理由があると決定すると、モバイルデバイスは、ブロック４２０において、ＲＲＣ接続状態に入り得る。ＲＲＣ接続状態に入る理由がないと決定すると、モバイルデバイスは、ＲＲＣアイドル状態にとどまり得る。ＲＲＣ接続状態にある間、モバイルデバイスは、要求され得るように、例えば、デバイスの移動、並びに／または、モバイルデバイス、基地局、および／もしくはモバイルデバイスと基地局との間の通信リンクにおける条件の変化の結果として、別のサービングセルへのハンドオーバーを経ることがある。
【００６０】
[0084]  ブロック４２５において、モバイルデバイスは、定期的に、および／または１つまたは複数の事象の発生により、ＲＲＣアイドル状態に入る（例えば、戻る）理由があるかどうかを決定できる。ＲＲＣアイドル状態に入る１つの理由は、モバイルデバイスがキャンプオンしているサービングセルとアクティブに通信する必要がもはやないので、電力を節約するためにＲＲＣアイドル状態で動作するのが望ましい可能性があるからである。ＲＲＣアイドル状態に戻る理由があると決定すると、モバイルデバイスは、ブロック４１０において、再びＲＲＣアイドル状態に入り得る。ＲＲＣアイドル状態に入る理由（または能力）がないと決定すると、モバイルデバイスは、ＲＲＣ接続状態にとどまり得る。
【００６１】
[0085]  図５は、本開示の様々な態様による、モバイルデバイス５１５がＲＲＣアイドル状態にあるときのモバイルデバイス５１５と主要サービングセル（Ｐｃｅｌｌ）５１０との間のワイヤレス通信の例５００を示す。モバイルデバイス５１５は、図１、図２、および／または図３に関して説明されたモバイルデバイス１１５、２１５、および／または３１５の１つまたは複数の態様の例であり得る。ＰＣｅｌｌ  ５１０は、図１、図２、および／または図３に関して説明された基地局１０５、２０５、および／または３０５によって運用される１つまたは複数のセルの例であり得る。
【００６２】
[0086]  モバイルデバイス５１５とＰＣｅｌｌ  ５１０との間のワイヤレス通信は、図１、図２、および／または図３に関して説明される通信リンクの１つの例であり得る通信リンク５２５を通じて行われ得る。
【００６３】
[0087]  何らかの時点において、デバイスの移動、並びに／またはモバイルデバイス５１５、ＰＣｅｌｌ  ５１０、および／もしくはモバイルデバイス５１５とＰｃｅｌｌ  ５１０との間の通信リンクにおける条件の変化などの理由で、モバイルデバイス５１５はセル再選択を行い得る。セル再選択を行うるとき、モバイルデバイス５１５は、１つまたは複数の近隣セル（例えば、ＮＣｅｌｌ＿０  ５２０および／またはＮＣｅｌｌ＿１  ５３０）がモバイルデバイス５１５のためのＰｃｅｌｌとしてサービスするのに利用可能であり得るかどうかを評価できる。この点において、モバイルデバイス５１５は、モバイルデバイス５１５に記憶されている情報に基づいてＮＣｅｌｌ＿０  ５２０および／またはＮＣｅｌｌ＿１  ５３０を特定でき、ＰＣｅｌｌ  ５１０、ＮＣｅｌｌ＿０  ５２０、および／またはＮＣｅｌｌ＿１  ５３０に関する１つまたは複数の測定結果を取得できる。ＮＣｅｌｌ＿０  ５２０および／またはＮＣｅｌｌ＿１  ５３０の各々は、図１、図２、および／または図３に関して説明された基地局１０５、２０５、および／または３０５によって運用される１つまたは複数のセルの例であり得る。
【００６４】
[0088]  記憶されている情報、得られた１つまたは複数の測定結果、並びに／または、ＰＣｅｌｌ  ５１０、ＮＣｅｌｌ＿０  ５２０、および／もしくはＮＣｅｌｌ＿１  ５３０の１つまたは複数から受信されたシグナリング情報に基づいて、モバイルデバイス５１５は、０個の、１個の、または２個以上の近隣セル（例えば、ＮＣｅｌｌ＿０  ５２０および／またはＮＣｅｌｌ＿１  ５３０）がモバイルデバイス５１５のためのＰＣｅｌｌとしてサービスするのに利用可能であると決定し、ＲＲＣアイドル状態においてキャンプオンすべき別のセルを選択できる。
【００６５】
[0089]  図６は、本開示の様々な態様による、モバイルデバイス６１５がＲＲＣ接続状態にありキャリアアグリゲーション通信モードで動作しているときの、モバイルデバイス６１５と、主要サービングセル（ＰＣｅｌｌ）６１０と、いくつかの二次的サービングセル（ＳＣｅｌｌ、例えばＳＣｅｌｌ＿０  ６２０および／またはＳＣｅｌｌ＿１  ６３０）との間のワイヤレス通信の例６００を示す。モバイルデバイス６１５は、図１、図２、および／または図５に関して説明されたモバイルデバイス１１５、２１５、２１５−ａ、２１５−ｂ、および／または５１５の１つまたは複数の態様の例であり得る。ＰＣｅｌｌ  ６１０、ＳＣｅｌｌ＿０  ６２０および／またはＳＣｅｌｌ＿１  ６３０の各々は、図１、図２、および／もしくは図３に関して説明された基地局１０５、２０５、および／もしくは３０５、並びに／または、図５に関して説明されたＰＣｅｌｌ  ５１０、ＮＣｅｌｌ＿０  ５２０、および／もしくはＮＣｅｌｌ＿１  ５３０によって運用される１つまたは複数のセルの例であり得る。
【００６６】
[0090]  モバイルデバイス６１５とＰＣｅｌｌ  ６１０との間のワイヤレス通信は、第１の通信リンク６２５を通じて行われてよく、モバイルデバイス６１５とＳＣｅｌｌ＿０  ６２０との間のワイヤレス通信は、第２の通信リンク６３５を通じて行われてよく、および／または、モバイルデバイス６１５とＳＣｅｌｌ＿１  ６３０との間のワイヤレス通信は、第３の通信リンク６４５を通じて行われてよい。通信リンクの各々は、図１、図２、および／または図３に関して説明された通信リンクの１つの例であり得る。
【００６７】
[0091]  モバイルデバイス６１５は、ＰＣｅｌｌ  ６１０とのＲＲＣ接続状態に入ることができ、その時点では、ＳＣｅｌｌ＿０  ６２０およびＳＣｅｌｌ＿１  ６３０との通信リンクはまだ確立されていないことがある。キャリアアグリゲーションモードで動作するとき、モバイルデバイス６１５は、ＰＣｅｌｌ  ６１０との通信を確立した後で、ＳＣｅｌｌ＿０  ６２０およびＳＣｅｌｌ＿１  ６３０との通信を確立できる。ＰＣｅｌｌ  ６１０と通信する間にモバイルデバイス６１５が通信し得るＳＣｅｌｌの数は変動することがあり、いくつかの例では、５個のＳＣｅｌｌを含み得る。
【００６８】
[0092]  何らかの時点において、デバイスの移動、並びに／またはモバイルデバイス６１５、ＰＣｅｌｌ  ６１０、および／もしくはモバイルデバイス６１５とＰｃｅｌｌ  ６１０との間の第１の通信リンク６２５における条件の変化などの理由で、モバイルデバイス６１５は別のサービングセルへのハンドオーバーを経ることがある。ハンドオーバーを経る前に、モバイルデバイス６１５は、ＰＣｅｌｌ  ６１０に１つまたは複数の測定報告を提供でき、ＰＣｅｌｌ  ６１０は、１つまたは複数の測定報告に少なくとも一部基づいて、１つまたは複数の近隣セル（例えば、ＮＣｅｌｌ＿０  ６４０、ＮＣｅｌｌ＿１  ６５０、ＳＣｅｌｌ＿０  ６２０、および／またはＳＣｅｌｌ＿１  ６３０）がモバイルデバイス６１５のための新たなＰＣｅｌｌであるべきかどうかを評価できる。ＮＣｅｌｌ＿０  ６４０および／またはＮＣｅｌｌ＿１  ６５０の各々は、図１、図２、および／もしくは図３に関して説明された基地局１０５、２０５、および／もしくは３０５、並びに／または、図５に関して説明されたＰＣｅｌｌ  ５１０、ＮＣｅｌｌ＿０  ５２０、および／もしくはＮＣｅｌｌ＿１  ５３０によって運用される１つまたは複数のセルの例であり得る。
【００６９】
[0093]  記憶されている情報および／または１つまたは複数の測定報告に基づいて、ＰＣｅｌｌ  ６１０は、０個、１個、または２個以上の近隣セル（例えば、ＮＣｅｌｌ＿０  ６４０、ＮＣｅｌｌ＿１  ６５０、ＳＣｅｌｌ＿０  ６２０、および／またはＳＣｅｌｌ＿１  ６３０）がモバイルデバイスのための新たなＰＣｅｌｌとしてサービスできると決定でき、ＲＲＣ接続状態におけるモバイルデバイス６１５のハンドオーバーのために別のセルを選択できる。ＰＣｅｌｌ  ６１０はまた、ＮＣｅｌｌ＿０および／またはＮＣｅｌｌ＿１が別の（または代替の）ＳＣｅｌｌとして追加するのに適しているかどうかを決定できる。
【００７０】
[0094]  図７は、本開示の様々な態様による、モバイルデバイス７１５とＰＣｅｌｌ  ７１０との間のメッセージの流れ７００を示す。モバイルデバイス７１５は、図１、図２、図３、図５、および／または図６に関して説明されたモバイルデバイス１１５、２１５、２１５−ａ、２１５−ｂ、３１５、５１５、および／または６１５の１つまたは複数の態様の例であり得る。ＰＣｅｌｌ  ７１０は、図１、図２、および／もしくは図３に関して説明された基地局１０５、２０５、および／もしくは３０５、並びに／または、図５および／もしくは図６に関して説明されたＰＣｅｌｌ  ５１０および／もしくは６１０の１つまたは複数の態様によって運用される１つまたは複数のセルの例であり得る。
【００７１】
[0095]  メッセージの流れ７００は、モバイルデバイス７１５およびＰＣｅｌｌ  ７１０がＲＲＣ接続状態７２０にある状態で開始し得る。ＲＲＣ接続状態７２０にある間、モバイルデバイス７１５および／またはＰＣｅｌｌ  ７１０は、制御および／またはデータ信号を送信できる。
【００７２】
[0096]  ブロック７２５において、ＰＣｅｌｌ  ７１０は、少なくとも１つのセル（例えば、少なくとも１つの近隣セル）が共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定できる。共有アクセス高周波帯域において動作するセルは、ＰＣｅｌｌとしてサービスするのを禁止されるものとして特定され得る。
【００７３】
[0097]  ＰＣｅｌｌ  ７１０は、モバイルデバイス７１５およびＰＣｅｌｌ  ７１０がＲＲＣ接続状態７２０にある間に少なくとも１つのセルが共有アクセス高周波帯域において動作することを決定するものとして示されるが、ＰＣｅｌｌ  ７１０は、代替的に、またはそれに加えて、モバイルデバイス７１５およびＰＣｅｌｌ  ７１０がＲＲＣ接続状態７２０（例えば、ＲＲＣアイドル状態）になる前に少なくとも１つのセルが共有アクセス高周波帯域において動作することを決定してよい。いくつかの例では、ＰＣｅｌｌ  ７１０は、ＰＣｅｌｌ  ７１０を運用する基地局に記憶されている情報に基づいて、少なくとも１つのセルが共有アクセス高周波帯域において動作すると決定できる。
【００７４】
[0098]  モバイルデバイス７１５およびＰＣｅｌｌ  ７１０がＲＲＣ接続状態７２０にある間の１つまたは複数の時点において、ＰＣｅｌｌ  ７１０は、シグナリング情報７３０（例えば、ＲＲＣシグナリング情報）をモバイルデバイス７１５に送信できる。シグナリング情報７３０は、専用シグナリングリソースを使用して送信され得る。シグナリング情報７３０は、少なくとも１つのセルが共有アクセス高周波帯域において動作するというブロック７２５における決定に少なくとも一部基づいて、少なくとも１つのセルがＰＣｅｌｌとしてサービスするのを禁止されること（または少なくとも１つのセルがＳＣｅｌｌとして動作し得ること）を示し得る。シグナリング情報７３０はまた、例えば、モバイルデバイス７１５がＲＲＣアイドル状態にあるとき、共有アクセス高周波帯域の１つまたは複数の周波数がセル再選択の検討においてＰＣｅｌｌとして利用不可能であることを示し得る。例えば、モバイルデバイス７１５は、今後のＰＣｅｌｌ再選択の検討において、共有アクセス高周波帯域内の１つまたは複数の周波数を再選択できない。別の例では、シグナリング情報７３０は、今後のＰＣｅｌｌ再選択において考慮されなくてよい共有アクセス高周波帯域内の周波数のリストを含み得る。いくつかの場合、１つまたは複数の周波数は、１つまたは複数のセルが１つまたは複数の周波数を使用して動作するというブロック７２５における決定に少なくとも一部基づいて特定され得る。
【００７５】
[0099]  ＳＣｅｌｌは、ＰＣｅｌｌとしてサービスするのを禁止され得る。しかしながら、シグナリング情報７３０において特定される１つまたは複数のＳＣｅｌｌ、および／または１つまたは複数の他のセル（この１つまたは複数の他のセルはＳＣｅｌｌとしてすでに特定されていてもいなくてもよい）が、ＲＲＣ接続状態７２０（例えば、モバイルデバイス７１５のキャリアアグリゲーションモード）にある間にＳＣｅｌｌとしてモバイルデバイス７１５によって使用され得る。
【００７６】
[0100]  モバイルデバイス７１５およびＰＣｅｌｌ  ７１０がＲＲＣ接続状態７２０にある間、モバイルデバイス７１５の移動はＰＣｅｌｌ  ７１０を介して管理され得る。ＰＣｅｌｌによるモバイルデバイス７１５の移動管理の一部として、ＰＣｅｌｌ  ７１０は、ＰＣｅｌｌとして動作するのを禁止されていないセルにモバイルデバイス７１５がハンドオーバーされることを確実にし得る。ＰＣｅｌｌ  ７１０はまた、ＰＣｅｌｌとしてサービスするのを禁止されているセルおよび／またはＰＣｅｌｌとしてサービスするのを禁止されているセルの周波数に対するＰＣｅｌｌ測定結果を測定オブジェクトが取得しないことを確実にするように、モバイルデバイス７１５の測定オブジェクトを構成できる。例えば、ＰＣｅｌｌ  ７１０は、ＰＣｅｌｌ（または提供側ＰＣｅｌｌ）としてサービスするのを禁止されているセルおよび／または周波数のリストをモバイルデバイス７１５に提供して、モバイルデバイス７１５がリスト上のセルおよび／または周波数に対するＰＣｅｌｌ測定結果を取得しないことを確実にできる。しかしながら、無線リンク障害（ＲＬＦ）が起こると、ＰＣｅｌｌ  ７１０は、モバイルデバイス７１５の移動と測定とを管理する能力を失うことがある。
【００７７】
[0101]  ＲＬＦは、モバイルデバイス７１５のハンドオーバーの間に、またはその外側で発生することがある。例として、メッセージの流れ７００は、ハンドオーバー手順７３５の開始の後（しかし完了の前）に発生するものとしてＲＬＦ  ７４５を示す。ハンドオーバー手順７３５の間の何らかの時点において、ＰＣｅｌｌ  ７１０は、準備されているセルのリスト７４０を含むシグナリング情報（例えば、ＲＲＣシグナリング情報）をモバイルデバイス７１５に送信できる。準備されているセルのリスト７４０は、専用シグナリングリソースを使用して送信され得る。準備されているセルのリスト７４０は、モバイルデバイス７１５のためのＰＣｅｌｌとしてサービスすることが可能なセルを含み得る。
【００７８】
[0102]  ＲＬＦ  ７４５に続いて、モバイルデバイス７１５は、準備されているセルのリスト７４０が受信されたかどうかをブロック７５０において決定できる。準備されているセルのリストが受信されたと決定されると、モバイルデバイス７１５は、ブロック７５５において、例えば、ランダムアクセスチャネル（ＲＡＣＨ：Random Access Channel）手順を使用して、準備されているセルの１つにアクセスすることを試み得る。
【００７９】
[0103]  準備されているセルのリストが受信されなかったと決定されると、モバイルデバイス７１５は、ブロック７６０においてＲＲＣアイドル状態に移行し、ブロック７６５においてセル再選択を開始できる。セル再選択の間、モバイルデバイス７１５は、セルがＳＣｅｌｌであることをＰＣｅｌｌ  ７１０から受信されたシグナリング情報（例えば、シグナリング情報７３０）および／もしくは他の情報が示すかどうかを決定し、並びに／または、共有アクセス高周波帯域の１つまたは複数の周波数がセル再選択のために利用不可能であることをシグナリング情報７３０および／もしくは他の情報が示すかどうかを決定して、セル再選択の間にそのようなセルまたは周波数を考慮することを避けることができる。セル再選択に利用可能なセルを特定すると、モバイルデバイス７１５は、ＲＡＣＨ手順を使用して、ブロック７７０においてセルにアクセスすることを試み得る。
【００８０】
[0104]  図８は、本開示の様々な態様による、モバイルデバイス８１５とＰＣｅｌｌ  ８１０との間のメッセージの流れ８００を示す。モバイルデバイス８１５は、図１、図２、図３、図５、図６、および／または図７に関して説明されたモバイルデバイス１１５、２１５、２１５−ａ、２１５−ｂ、３１５、５１５、６１５、および／または７１５の１つまたは複数の態様の例であり得る。ＰＣｅｌｌ  ８１０は、図１、図２、および／もしくは図３に関して説明された基地局１０５、２０５、および／もしくは３０５、並びに／または、図５、図６、および／もしくは図７に関して説明されたＰＣｅｌｌ  ５１０、６１０、および／もしくは７１０の１つまたは複数の態様によって運用される１つまたは複数のセルの例であり得る。
【００８１】
[0105]  メッセージの流れ８００は、モバイルデバイス８１５およびＰＣｅｌｌ  ８１０がＲＲＣ接続状態８２０にある状態で開始し得る。ＲＲＣ接続状態８２０にある間、モバイルデバイス８１５および／またはＰＣｅｌｌ  ８１０は、制御および／またはデータ信号を送信できる。
【００８２】
[0106]  ブロック８２５において、ＰＣｅｌｌ  ８１０を運用する基地局は、少なくとも１つのセル（例えば、少なくとも１つの近隣セル）が共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定できる。共有アクセス高周波帯域において動作するセルは、ＰＣｅｌｌとしてサービスするのを禁止されるものとして（またはＳＣｅｌｌとして動作し得るセルとして）特定され得る。いくつかの例では、ブロック８２５における動作は、共有アクセス高周波帯域において動作する少なくとも１つのセルによって使用される周波数またはコンポーネントキャリアを決定することを含み得る。ＰＣｅｌｌ  ８１０は、モバイルデバイス８１５およびＰＣｅｌｌ  ８１０がＲＲＣ接続状態８２０にある間に少なくとも１つのセルが共有アクセス高周波帯域において動作することを決定するものとして示されるが、ＰＣｅｌｌ  ８１０は、代替的に、またはそれに加えて、モバイルデバイス８１５およびＰＣｅｌｌ  ８１０がＲＲＣ接続状態８２０になる前に少なくとも１つのセルが共有アクセス高周波帯域において動作することを決定してよい。いくつかの例では、ＰＣｅｌｌ  ８１０は、ＰＣｅｌｌ  ８１０のために記憶されている情報に基づいて、少なくとも１つのセルが共有アクセス高周波帯域において動作すると決定できる。
【００８３】
[0107]  ブロック８３０において、ＰＣｅｌｌ  ８１０を運用する基地局は、セル再選択の優先度（例えば、０から７の優先度、ここで、０の優先度はセル再選択に対して与えられる最高の優先度であり、７の優先度はセル再選択に対して与えられる最低の優先度である）をセル再選択または初期アクセスのために利用可能な少なくとも１つの周波数に割り当てることができるが、（例えば、ブロック８２５において決定されるような）共有アクセス高周波帯域において動作するセルによって使用される少なくとも１つの周波数にはセル再選択の優先度を割り当てなくてよい。
【００８４】
[0108]  モバイルデバイス８１５およびＰＣｅｌｌ  ８１０がＲＲＣ接続状態８２０にある間の１つまたは複数の時点において、ＰＣｅｌｌ  ８１０は、シグナリング情報（例えば、ＲＲＣシグナリング情報）をモバイルデバイス８１５に送信できる。シグナリング情報は、専用シグナリングリソースを使用して送信され得る。別の例では、シグナリング情報はブロードキャストされ得る。いくつかの例では、シグナリング情報は、モバイルデバイス８１５がＲＲＣアイドル状態にあるときにセル再選択のために利用可能な（またはＰＣｅｌｌとしてサービスする）１つまたは複数の周波数を示す、セル再選択の優先度を有する周波数のリスト８３５を含み得る。シグナリング情報はまた、モバイルデバイス８１５がＲＲＣアイドル状態にあるときにモバイルデバイス８１５が監視すべきではない、共有アクセス高周波帯域の１つまたは複数の周波数を示し得る。いくつかの例では、モバイルデバイス８１５が監視すべきではない周波数は、周波数のリストに含まれていないこと、またはその周波数に対して割り当てられているセル再選択の優先度が存在しないことによって示され得る。
【００８５】
[0109]  シグナリング情報の別の例では、シグナリング情報は、モバイルデバイス８１５がＲＲＣアイドル状態にあるときにモバイルデバイス８１５が監視すべきではない、共有アクセス高周波帯域の１つまたは複数のセルまたは周波数を明示的に示し得る。この例では、シグナリング情報はまた、モバイルデバイス８１５が、ある時間期間（例えば、３００秒または３日）の間、（同じ周波数または異なる周波数上で動作する）１つまたは複数のセルにアクセスすること、または（少なくともＰＣｅｌｌを特定するまたはＰＣｅｌｌにアクセスする目的で）１つまたは複数の周波数にアクセスするのを禁止されることを示し得る。
【００８６】
[0110]  ブロック８４０において、モバイルデバイス８１５はＲＲＣアイドル状態８４５に移行し得る。例えば、モバイルデバイス８１５とＰＣｅｌｌ  ８１０との間で送信される必要のある制御信号および／またはデータ信号がないことが原因で、モバイルデバイス８１５はＲＲＣアイドル状態８４５に移行し得る。
【００８７】
[0111]  ＲＲＣアイドル状態８４５にある間、ブロック８５０において、モバイルデバイス８１５はセル再選択を開始できる。セル再選択は、デバイスの移動、並びに／またはモバイルデバイス８１５、ＰＣｅｌｌ  ８１０、および／もしくはモバイルデバイス８１５とＰｃｅｌｌ  ８１０との間の通信リンクにおける条件の変化などの様々な理由で、開始され得る。ブロック８５０において開始されるセル再選択は、例えば、シグナリング情報において受信されるセル再選択の優先度８３５を有する周波数のリストを含む、シグナリング情報に従って開始され得る。
【００８８】
[0112]  図９は、本開示の様々な態様による、モバイルデバイス９１５、ＰＣｅｌｌ  ９１０、第１の近隣セル（ＮＣｅｌｌ＿０）９２０、および／または第２の近隣セル（ＮＣｅｌｌ＿１）９３０の間のメッセージの流れ９００を示す。モバイルデバイス９１５は、図１、図２、図３、図５、図６、図７、および／または図８に関して説明されたモバイルデバイス１１５、２１５、２１５−ａ、２１５−ｂ、３１５、５１５、６１５、７１５、および／または８１５の１つまたは複数の態様の例であり得る。ＰＣｅｌｌ  ９１０は、図１、図２、および／もしくは図３に関して説明された基地局１０５、２０５、および／もしくは３０５、並びに／または、図５、図６、図７、および／もしくは図８に関して説明されたＰＣｅｌｌ  ５１０、６１０、７１０、および／もしくは８１０の１つまたは複数の態様によって運用される１つまたは複数のセルの例であり得る。いくつかの例では、ＰＣｅｌｌ  ９１０、ＮＣｅｌｌ＿０  ９２０、および／またはＮＣｅｌｌ＿１  ９３０の２つ以上が、単一の基地局および／またはｅＮＢによって提供され得る。
【００８９】
[0113]  メッセージの流れ９００は、モバイルデバイス９１５およびＰＣｅｌｌ  ９１０がＲＲＣアイドル状態９３５にある状態で（例えば、モバイルデバイス９１５がＰＣｅｌｌ  ９１０にキャンプオンしている状態で）、または、モバイルデバイス９１５がＰＣｅｌｌへの接続を有しない状態で（例えば、モバイルデバイス９１５がいずれのＰＣｅｌｌにもキャンプオンしていない状態で）開始し得る。
【００９０】
[0114]  オプションで、ブロック９４０において、モバイルデバイス９１５は、共有アクセス高周波帯域において動作していることが知られているあらゆるセルを、ＰＣｅｌｌとしてサービスすることが禁止されるものとして特定できる（ただしそれらのセルはＳＣｅｌｌとして動作し得る）。いくつかの例では、セルは、共有アクセス高周波帯域の１つまたは複数の対応する周波数範囲を一意に特定する１つまたは複数の周波数バンド識別子（例えば、周波数バンド番号）および／またはチャネル識別子（例えば、チャネル番号）のような、モバイルデバイス９１５に記憶されている情報に少なくとも一部基づいて、共有アクセス高周波帯域において動作するセルとして特定されてよく、上記の１つまたは複数の周波数範囲は、ＰＣｅｌｌとしてサービスするのを禁止されるものとして決定される。共有アクセス高周波帯域の１つまたは複数の対応する周波数範囲を一意に特定する周波数バンド識別子および／またはチャネル識別子の使用は、セル再選択、初期アクセスなどの目的でモバイルデバイス９１５が１つまたは複数の周波数範囲を探索するのを禁止する際に有用であり得る。
【００９１】
[0115]  ブロック９２５において、ＮＣｅｌｌ＿０  ９２０を運用する基地局は、少なくともＮＣｅｌｌ＿０  ９２０が共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作するかどうかを決定できる。いくつかの例では、ＮＣｅｌｌ＿０  ９２０は、ＮＣｅｌｌ＿０を運用する基地局に記憶されている情報に基づいて、少なくともＮＣｅｌｌ＿０  ９２０が共有アクセス高周波帯域において動作するかどうかを決定できる。ＮＣｅｌｌ＿０  ９２０は、少なくともＮＣｅｌｌ＿０  ９２０が任意の時間において共有アクセス高周波帯域において動作するかどうかを決定でき、ブロック９２５のタイミングは単なる例示的なタイミングである。
【００９２】
[0116]  ＮＣｅｌｌ＿０  ９２０を運用する基地局が、少なくともＮＣｅｌｌ＿０  ９２０が共有アクセス高周波帯域において動作すると決定するとき、ＮＣｅｌｌ＿０  ９２０は、ブロック９４５において、送信のためにシグナリング情報を準備できる。シグナリング情報は、セル取得シグナリング情報として準備されてよく、ＮＣｅｌｌ＿０  ９２０がＰＣｅｌｌとしてサービスするのを禁止されること（またはＮＣｅｌｌ＿０  ９２０がＳＣｅｌｌとして動作し得ること）を示し得る。例として、シグナリング情報は、ＮＣｅｌｌ＿０  ９２０のカバレッジエリア内の全てのモバイルデバイスにブロードキャストされ得る。
【００９３】
[0117]  ブロック９５０において、モバイルデバイス９１５は、セル再選択または初期アクセス手順を開始できる。例えば、セル再選択は、デバイスの移動、並びに／またはモバイルデバイス９１５、ＰＣｅｌｌ  ９１０、および／もしくはモバイルデバイス９１５とＰｃｅｌｌ  ９１０との間の通信リンクにおける条件の変化などの様々な理由で、開始され得る。別の例では、初期アクセス手順は、例えば、モバイルデバイス９１５がオンにされたこと、または、セルラーサービスが提供されていないエリアからセルラーサービスが提供されているエリアへとモバイルデバイスが移動したことが原因で、開始され得る。ブロック９５０において開始されるセル再選択または初期アクセス手順は、もしあればブロック９４０において行われたセルの特定に従って、開始され得る。ブロック９４０において特定されたセルは、セル再選択または初期アクセスのために考慮されなくてよい。
【００９４】
[0118]  セル再選択または初期アクセス手順の開始に続いて、モバイルデバイス９１５は、セル再選択または初期アクセスを行うために利用可能なセルとしてＮＣｅｌｌ＿０  ９２０を特定し、ＮＣｅｌｌ＿０  ９２０から第１のセル取得シグナリング情報９５５を受信できる。第１のセル取得シグナリング情報９５５は、例えば、ＮＣｅｌｌ＿０  ９２０がＰＣｅｌｌとしてサービスするのを禁止されること（またはＮＣｅｌｌ＿０  ９２０がＳＣｅｌｌとして動作し得ること）を示すようにコーディングもしくは修正される、主要同期信号（ＰＳＳ）、二次的同期信号（ＳＳＳ）、セル参照信号（ＣＲＳ）、進化型セル参照信号（ｅＣＲＳ：evolved cell reference signal）、および／または、クリアチャネルアセスメント（ＣＣＡ）免除送信（ＣＥＴ）フレームを使用して、ＮＣｅｌｌ＿０  ９２０によって送信され得る。
【００９５】
[0119]  第１のセル取得シグナリング情報９５５を受信して復号すると、モバイルデバイス９１５は、ブロック９６０において、第１のセル取得シグナリング情報９５５に少なくとも一部基づいて、ＮＣｅｌｌ＿０  ９２０がＰＣｅｌｌとしてサービスするのを禁止されること（またはＮＣｅｌｌ＿０  ９２０がＳＣｅｌｌとして動作し得ること）を決定できる。この決定を行うと、モバイルデバイス９１５は、セル再選択または初期アクセス手順を行うための別のセル（例えば、ＮＣｅｌｌ＿１  ９３０）を選択し、ＮＣｅｌｌ＿１  ９３０から第２のセル取得シグナリング情報９６５を受信できる。
【００９６】
[0120]  第２のセル取得シグナリング情報９６５は、例えば、ＰＳＳ、ＳＳＳ、ＣＲＳ、ｅＣＲＳ、および／またはＣＥＴフレームを使用して、ＮＣｅｌｌ＿１  ９３０によって送信され得る。第２のセル取得シグナリング情報９６５は、ＮＣｅｌｌ＿１  ９３０がＰＣｅｌｌとしてサービスするのを禁止されるかどうか（またはＮＣｅｌｌ＿１  ９３０がＳＣｅｌｌとして動作し得ること）を示し得る。ＮＣｅｌｌ＿１  ９３０がＰＣｅｌｌとしてサービスするのを禁止されること（またはＮＣｅｌｌ＿１  ９３０がＳＣｅｌｌであること）を第２のセル取得シグナリング情報９６５が示さない場合、モバイルデバイス９１５は、ブロック９７０において、ＮＣｅｌｌ＿１によってセル再選択または初期アクセス手順を続けることができる。そうではなく、ＮＣｅｌｌ＿１  ９３０がＰＣｅｌｌとしてサービスするのを禁止されること（またはＮＣｅｌｌ＿１  ９３０がＳＣｅｌｌであること）を第２のセル取得シグナリング情報９６５が示す場合、モバイルデバイス９１５は、セル再選択または初期アクセス手順を行うための別のセル（例えば、ＰＣｅｌｌ  ９１０）を選択できる。
【００９７】
[0121]  セルがＰＣｅｌｌとしてサービスするのを禁止されるかどうか（またはそのセルがＳＣｅｌｌとして動作し得ること）をセル取得シグナリング情報において示すことによって、セルごとに、セルのタイプ（例えば、ＰＣｅｌｌ対応またはＳＣｅｌｌのみ対応）を示す際の柔軟性が提供され得る。いくつかの例では、あるＭＮＯは、ＰＣｅｌｌとしてサービスするのを禁止されるものとしてある周波数を指定するためにセル取得シグナリング情報を使用し得るが、別のＭＮＯは、（例えば、スタンドアロン動作のための）ＰＣｅｌｌとしてサービスするのを禁止されるものとしてその周波数を指定するためにセル取得シグナリング情報を使用し得る。他の例では、ＭＮＯはまた、ＰＣｅｌｌとしてサービスするのを禁止されるものとしてあるセルを指定し、しかし他のセルを指定しないために、セル取得シグナリング情報を使用できる。
【００９８】
[0122]  図１０は、本開示の様々な態様による、モバイルデバイス１０１５、ＰＣｅｌｌ  １０１０、第１の近隣セル（ＮＣｅｌｌ＿０）１０２０、および／または第２の近隣セル（ＮＣｅｌｌ＿１）１０３０の間のメッセージの流れ１０００を示す。モバイルデバイス１０１５は、図１、図２、図３、図５、図６、図７、図８、および／または図９に関して説明されたモバイルデバイス１１５、２１５、２１５−ａ、２１５−ｂ、３１５、５１５、６１５、７１５、８１５、および／または９１５の１つまたは複数の態様の例であり得る。ＰＣｅｌｌ  １０１０は、図１、図２、および／もしくは図３に関して説明された基地局１０５、２０５、および／もしくは３０５、並びに／または、図５、図６、図７、図８、および／もしくは図９に関して説明されたＰＣｅｌｌ  ５１０、６１０、７１０、８１０、および／もしくは９１０の１つまたは複数の態様によって運用される１つまたは複数のセルの例であり得る。いくつかの例では、ＰＣｅｌｌ  １０１０、ＮＣｅｌｌ＿０  １０２０、および／またはＮＣｅｌｌ＿１  １０３０の２つ以上が、単一の基地局および／またはｅＮＢによって提供され得る。
【００９９】
[0123]  メッセージの流れ１０００は、モバイルデバイス１０１５およびＰＣｅｌｌ  １０１０がＲＲＣアイドル状態１０３５にある状態で（例えば、モバイルデバイス１０１５がＰＣｅｌｌ  １０１０にキャンプオンしている状態で）、または、モバイルデバイス１０１５がＰＣｅｌｌへの接続を有しない状態で（例えば、モバイルデバイス１０１５がいずれのＰＣｅｌｌにもキャンプオンしていない状態で）開始し得る。
【０１００】
[0124]  オプションで、ブロック１０４０において、モバイルデバイス１０１５は、共有アクセス高周波帯域において動作していることが知られているあらゆるセルを、ＰＣｅｌｌとしてサービスすることが禁止されるものとして特定できる（ただしそれらのセルはＳＣｅｌｌとして動作し得る）。いくつかの例では、セルは、共有アクセス高周波帯域の１つまたは複数の対応する周波数範囲を一意に特定する１つまたは複数の周波数バンド識別子（例えば、周波数バンド番号）および／またはチャネル識別子（例えば、チャネル番号）のような、モバイルデバイス１０１５に記憶されている情報に少なくとも一部基づいて、共有アクセス高周波帯域において動作するセルとして特定されてよく、上記の１つまたは複数の周波数範囲は、ＰＣｅｌｌとしてサービスするのを禁止されるものとして決定される。共有アクセス高周波帯域の１つまたは複数の対応する周波数範囲を一意に特定する周波数バンド識別子および／またはチャネル識別子の使用は、セル再選択、初期アクセスなどの目的でモバイルデバイス１０１５が１つまたは複数の周波数範囲を探索するのを禁止する際に有用であり得る。
【０１０１】
[0125]  ブロック１０２５において、ＮＣｅｌｌ＿０  １０２０を運用する基地局は、少なくともＮＣｅｌｌ＿０  １０２０が共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作するかどうかを決定できる。いくつかの例では、ＮＣｅｌｌ＿０  １０２０は、ＮＣｅｌｌ＿０  １０２０を運用する基地局に記憶されている情報に基づいて、少なくともＮＣｅｌｌ＿０  １０２０が共有アクセス高周波帯域において動作するかどうかを決定できる。ＮＣｅｌｌ＿０  １０２０は、少なくともＮＣｅｌｌ＿０  １０２０が任意の時間において共有アクセス高周波帯域において動作するかどうかを決定でき、ブロック１０２５のタイミングは単なる例示的なタイミングである。
【０１０２】
[0126]  ＮＣｅｌｌ＿０  １０２０を運用する基地局が、少なくともＮＣｅｌｌ＿０  １０２０が共有アクセス高周波帯域において動作すると決定するとき、ＮＣｅｌｌ＿０  １０２０は、ブロック１０４５において、送信のためにシグナリング情報を準備できる。シグナリング情報は、ブロードキャストシグナリング情報として準備されてよく、ＮＣｅｌｌ＿０  １０２０がＰＣｅｌｌとしてサービスするのを禁止されること（またはＮＣｅｌｌ＿０  １０２０がＳＣｅｌｌとして動作し得ること）を示し得る。シグナリング情報はまた、取得シグナリング情報を含み得る。例として、シグナリング情報は、ＮＣｅｌｌ＿０  １０２０のカバレッジエリア内の全てのモバイルデバイスにブロードキャストされ得る。
【０１０３】
[0127]  ブロック１０５０において、モバイルデバイス１０１５は、セル再選択または初期アクセス手順を開始できる。例えば、セル再選択は、デバイスの移動、並びに／またはモバイルデバイス１０１５、ＰＣｅｌｌ  １０１０、および／もしくはモバイルデバイス１０１５とＰｃｅｌｌ  １０１０との間の通信リンクにおける条件の変化などの様々な理由で、開始され得る。別の例では、初期アクセス手順は、例えば、モバイルデバイス１０１５がオンにされたこと、または、セルラーサービスが提供されていないエリアからセルラーサービスが提供されているエリアへとモバイルデバイスが移動したことが原因で、開始され得る。ブロック１０５０において開始されるセル再選択または初期アクセス手順は、もしあればブロック１０４０において行われたセルの特定に従って、開始され得る。ブロック１０４０において特定されたセルは、セル再選択または初期アクセスのために考慮されなくてよい。
【０１０４】
[0128]  セル再選択または初期アクセス手順の開始に続いて、モバイルデバイス１０１５は、セル再選択または初期アクセスを行うためにに利用可能なセルとしてＮＣｅｌｌ＿０  １０２０を特定し、ＮＣｅｌｌ＿０  １０２０から第１のセル取得シグナリング情報１０５５を受信できる。第１のセル取得シグナリング情報１０５５は、例えば、ＰＳＳ、ＳＳＳ、ＣＲＳ、ｅＣＲＳ、および／またはＣＥＴフレームを使用して、ＮＣｅｌｌ＿０  １０２０によって送信され得る。
【０１０５】
[0129]  第１のセル取得シグナリング情報１０５５の受信に続いて、モバイルデバイス１０１５は、ＮＣｅｌｌ＿０  １０２０から第１のブロードキャストシグナリング情報１０６０を受信できる。第１のブロードキャストシグナリング情報１０６０は、例えば、マスター情報ブロック（ＭＩＢ）において（例えば、ＭＩＢの、またはＭＩＢに追加される１つまたは複数の情報要素において）、および／または、システム情報ブロック（ＳＩＢ）において（例えば、ＳＩＢの、またはＳＩＢに追加される１つまたは複数の情報要素において）、ブロードキャストチャネル（例えば、物理ブロードキャストチャネル（ＰＢＣＨ））を通じてＮＣｅｌｌ＿０  １０２０によってブロードキャストされ得る。第１のセル取得シグナリング情報１０６０は、ＮＣｅｌｌ＿０  １０２０がＰＣｅｌｌとしてサービスするのを禁止されること（またはＮＣｅｌｌ＿０  １０２０がＳＣｅｌｌとして動作し得ること）を示し得る。いくつかの例では、第１のブロードキャストシグナリング情報１０６０は、（例えば、ＲＡＣＨ構成が提供されないセルにはモバイルデバイスがキャンプオンできないので）ＲＡＣＨ構成を伴わずにＭＩＢまたはＳＩＢを送信する形式をとり得る。ＲＡＣＨ構成を伴わないＭＩＢまたはＳＩＢの送信は、一部のモバイルデバイスに対して後方互換性がないことがあるが、そうしたモバイルデバイスについて、いくつかの例では、モバイルデバイスは、セルのＲＡＣＨ構成を受信しないとき、そのセルに対するアクセス手順を続けなくてよい。他の例では、ＭＩＢまたはＳＩＢに追加される情報要素は、例えば、共有アクセス高周波帯域の周波数範囲を特定する複数の周波数バンド識別子および／またはチャネル識別子の１つを含んでよく、この共有アクセス高周波帯域の周波数範囲は、ＮＣｅｌｌ＿０  １０２０によって使用される周波数を含むように決定される。周波数範囲が複数の周波数バンド識別子および／またはチャネル識別子と関連付けられるとき、第１のＭＮＯは、ＰＣｅｌｌとしてサービスするのを禁止されるものとして周波数範囲を指定するために複数の周波数バンド識別子および／またはチャネル識別子のうちの第１を使用でき、第２のＭＮＯは、（例えば、スタンドアロン動作のための）ＰＣｅｌｌとしてサービス可能であるものとして周波数範囲を指定するために複数の周波数バンド識別子および／またはチャネル識別子のうちの第２を使用できる。
【０１０６】
[0130]  第１のブロードキャストシグナリング情報１０６０を受信して復号すると、モバイルデバイス１０１５は、ブロック１０６５において、第１のブロードキャストシグナリング情報１０６０に少なくとも一部基づいて、ＮＣｅｌｌ＿０  １０２０がＰＣｅｌｌとしてサービスするのを禁止されること（またはＮＣｅｌｌ＿０  １０２０がＳＣｅｌｌとして選択され得ること）を決定できる。この決定を行うと、モバイルデバイス１０１５は、セル再選択または初期アクセス手順を行うための別のセル（例えば、ＮＣｅｌｌ＿１  １０３０）を選択し、ＮＣｅｌｌ＿１  １０３０から第２のセル取得シグナリング情報１０７０を受信できる。
【０１０７】
[0131]  第２のセル取得シグナリング情報１０７０は、例えば、ＰＳＳ、ＳＳＳ、ＣＲＳ、ｅＣＲＳ、および／またはＣＥＴフレームを使用して、ＮＣｅｌｌ＿１  １０３０によって送信され得る。第２のセル取得シグナリング情報１０７０の受信に続いて、モバイルデバイス１０１５は、ＮＣｅｌｌ＿１  １０３０から第２のブロードキャストシグナリング情報１０７５を受信できる。第２のブロードキャストシグナリング情報は、例えば、ＭＩＢにおいて（例えば、ＭＩＢの、またはＭＩＢに追加される１つまたは複数の情報要素において）、および／または、ＳＩＢにおいて（例えば、ＳＩＢの、またはＳＩＢに追加される１つまたは複数の情報要素において）、ブロードキャストチャネルを通じてＮＣｅｌｌ＿１  １０３０によってブロードキャストされ得る。第２のブロードキャストシグナリング情報１０７５は、ＮＣｅｌｌ＿１  １０３０がＰＣｅｌｌとしてサービスするのを禁止されるかどうか（またはＮＣｅｌｌ＿１  １０３０がＳＣｅｌｌとして動作し得ること）を示し得る。ＮＣｅｌｌ＿１  １０３０がＰＣｅｌｌとしてサービスするのを禁止されること（またはＮＣｅｌｌ＿１がＳＣｅｌｌとして動作し得ること）を第２のブロードキャストシグナリング情報１０７５が示さない場合、モバイルデバイス１０１５は、ブロック１０８０において、ＮＣｅｌｌ＿１とのセル再選択または初期アクセス手順を続けることができる。そうではなく、ＮＣｅｌｌ＿１  １０３０がＰＣｅｌｌとしてサービスするのを禁止されること（またはＮＣｅｌｌ＿１がＳＣｅｌｌとして動作し得ること）を第２のブロードキャストシグナリング情報１０７５が示す場合、モバイルデバイス１０１５は、セル再選択または初期アクセス手順を行うための別のセル（例えば、ＰＣｅｌｌ  １０１０）を選択できる。
【０１０８】
[0132]  セルがＰＣｅｌｌとしてサービスするのを禁止されるかどうか（またはそのそのセルがＳＣｅｌｌとして動作し得ること）をブロードキャストシグナリング情報において示すことによって、セルごとに、セルのタイプ（例えば、ＰＣｅｌｌ対応またはＳＣｅｌｌのみ対応）を示す際の柔軟性が提供され得る。いくつかの例では、あるＭＮＯは、ＰＣｅｌｌとしてサービスするのを禁止されるものとしてある周波数を指定するためにブロードキャストシグナリング情報を使用し得るが、別のＭＮＯは、（例えば、スタンドアロン動作のための）ＰＣｅｌｌとしてサービスするのを禁止されるものとしてその周波数を指定するためにブロードキャストシグナリング情報を使用し得る。他の例では、ＭＮＯはまた、ＰＣｅｌｌとしてサービスするのを禁止されるものとしてあるセルを指定し、しかし他のセルを指定しないために、ブロードキャストシグナリング情報を使用できる。
【０１０９】
[0133]  図１１は、本開示の様々な態様による、モバイルデバイス１１１５、ＰＣｅｌｌ  １１１０、第１の近隣セル（ＮＣｅｌｌ＿０）１１２０、および／または第２の近隣セル（ＮＣｅｌｌ＿１）１１３０の間のメッセージの流れ１１００を示す。モバイルデバイス１１１５は、図１、図２、図３、図５、図６、図７、図８、図９、および／または図１０に関して説明されたモバイルデバイス１１５、２１５、２１５−ａ、２１５−ｂ、３１５、５１５、６１５、７１５、８１５、９１５、および／または１０１５の１つまたは複数の態様の例であり得る。ＰＣｅｌｌ  １１１０は、図１、図２、および／もしくは図３に関して説明された基地局１０５、２０５、および／もしくは３０５、並びに／または、図５、図６、図７、図８、図９、および／もしくは図１０に関して説明されたＰＣｅｌｌ  ５１０、６１０、７１０、８１０、９１０、および／もしくは１０１０の１つまたは複数の態様によって運用される１つまたは複数のセルの例であり得る。いくつかの例では、ＰＣｅｌｌ  １１１０、ＮＣｅｌｌ＿０  １１２０、および／またはＮＣｅｌｌ＿１  １１３０の２つ以上が、単一の基地局および／またはｅＮＢによって提供され得る。
【０１１０】
[0134]  メッセージの流れ１１００は、モバイルデバイス１１１５およびＰＣｅｌｌ  １１１０がＲＲＣアイドル状態１１３５にある状態で（例えば、モバイルデバイス１１１５がＰＣｅｌｌ  １１１０にキャンプオンしている状態で）、または、モバイルデバイス１１１５がＰＣｅｌｌへの接続を有しない状態で（例えば、モバイルデバイス１１１５がいずれのＰＣｅｌｌにもキャンプオンしていない状態で）開始し得る。
【０１１１】
[0135]  オプションで、ブロック１１４０において、モバイルデバイス１１１５は、共有アクセス高周波帯域において動作していることが知られているあらゆるセルを、ＰＣｅｌｌとしてサービスすることが禁止されるものとして特定できる（ただしそれらのセルはＳＣｅｌｌとして動作し得る）。いくつかの例では、セルは、共有アクセス高周波帯域の１つまたは複数の対応する周波数範囲を一意に特定する１つまたは複数の周波数バンド識別子（例えば、周波数バンド番号）および／またはチャネル識別子（例えば、チャネル番号）のような、モバイルデバイス１１１５に記憶されている情報に少なくとも一部基づいて、共有アクセス高周波帯域において動作するセルとして特定されてよく、上記の１つまたは複数の周波数範囲は、ＰＣｅｌｌとしてサービスするのを禁止されるものとして決定される。共有アクセス高周波帯域の１つまたは複数の対応する周波数範囲を一意に特定する周波数バンド識別子および／またはチャネル識別子の使用は、セル再選択、初期アクセスなどの目的でモバイルデバイス１１１５が１つまたは複数の周波数範囲を探索するのを禁止する際に有用であり得る。
【０１１２】
[0136]  ブロック１１２５において、ＮＣｅｌｌ＿０  １１２０を運用する基地局は、少なくともＮＣｅｌｌ＿０  １１２０が共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作するかどうかを決定できる。いくつかの例では、ＮＣｅｌｌ＿０  １１２０は、ＮＣｅｌｌ＿０  １１２０を運用する基地局に記憶されている情報に基づいて、少なくともＮＣｅｌｌ＿０  １１２０が共有アクセス高周波帯域において動作するかどうかを決定できる。ＮＣｅｌｌ＿０  １１２０は、少なくともＮＣｅｌｌ＿０  １１２０が任意の時間において共有アクセス高周波帯域において動作するかどうかを決定でき、ブロック１１２５のタイミングは単なる例示的なタイミングである。
【０１１３】
[0137]  ＮＣｅｌｌ＿０  １１２０を運用する基地局が、少なくともＮＣｅｌｌ＿０  １１２０が共有アクセス高周波帯域において動作すると決定するとき、ＮＣｅｌｌ＿０  １１２０は、ブロック１１４５において、送信のためにシグナリング情報を準備できる。シグナリング情報は、アクセス拒絶シグナリング情報として準備されてよく、ＮＣｅｌｌ＿０  １１２０がＰＣｅｌｌとしてサービスするのを禁止されること（またはＮＣｅｌｌ＿０  １１２０がＳＣｅｌｌとして動作し得ること）を示し得る。
【０１１４】
[0138]  ブロック１１５０において、モバイルデバイス１１１５は、セル再選択または初期アクセス手順を開始できる。例えば、セル再選択は、デバイスの移動、並びに／またはモバイルデバイス１１１５、ＰＣｅｌｌ  １１１０、および／もしくはモバイルデバイス１１１５とＰｃｅｌｌ  １１１０との間の通信リンクにおける条件の変化などの様々な理由で、開始され得る。別の例では、初期アクセス手順は、例えば、モバイルデバイス１１１５がオンにされたこと、または、セルラーサービスが提供されていないエリアからセルラーサービスが提供されているエリアへとモバイルデバイスが移動したことが原因で、開始され得る。ブロック１１５０において開始されるセル再選択または初期アクセス手順は、もしあればブロック１１４０において行われたセルの特定に従って、開始され得る。ブロック１１４０において特定されたセルは、セル再選択または初期アクセスのために考慮されなくてよい。
【０１１５】
[0139]  セル再選択または初期アクセス手順の開始に続いて、モバイルデバイス１１１５は、セル再選択または初期アクセスを行うために利用可能なセルとしてＮＣｅｌｌ＿０  １１２０を特定し、ＮＣｅｌｌ＿０  １１２０から第１のセル取得シグナリング情報１１５５を受信できる。第１のセル取得シグナリング情報１１５５は、例えば、ＰＳＳ、ＳＳＳ、ＣＲＳ、ｅＣＲＳ、および／またはＣＥＴフレームを使用して、ＮＣｅｌｌ＿０  １１２０によって送信され得る。
【０１１６】
[0140]  第１のセル取得シグナリング情報１１５５の受信に続いて、モバイルデバイス１１１５は、ＮＣｅｌｌ＿０  １１２０から第１のブロードキャストシグナリング情報１１６０を受信できる。第１のブロードキャストシグナリング情報１１６０は、例えば、ＭＩＢにおいて（例えば、ＭＩＢの、またはＭＩＢに追加される１つまたは複数の情報要素において）、および／または、ＳＩＢにおいて（例えば、ＳＩＢの、またはＳＩＢに追加される１つまたは複数の情報要素において）、ブロードキャストチャネルを通じてＮＣｅｌｌ＿０  １１２０によってブロードキャストされ得る。
【０１１７】
[0141]  第１のブロードキャストシグナリング情報１１６０の受信に続いて、モバイルデバイス１１１５は、ＮＣｅｌｌ＿０  １１２０にアクセスするための要求１１６５（例えば、ＲＲＣ接続要求）を送信できる。それに応答して、ブロック１１２５における決定に少なくとも一部基づいて、ＮＣｅｌｌ＿０  １１２０は、ＮＣｅｌｌ＿０  １１２０がＰＣｅｌｌとしてサービスするのを禁止されること（またはＮＣｅｌｌ＿０がＳＣｅｌｌとして動作し得ること）を示すアクセス拒絶シグナリング情報１１７０を送信することによって、ＮＣｅｌｌ＿０  １１２０にアクセスするための要求１１６５を拒絶できる。いくつかの例では、アクセス拒絶シグナリング情報１１７０は、拒絶原因値を含み得る。いくつかの例では、アクセス拒絶シグナリング情報１１７０は、ＮＣｅｌｌ＿０  １１２０がある時間期間（例えば、３００秒または３日）の間ＰＣｅｌｌとしてサービスするのを禁止されることを示し得る。ある例では、いくつかのモバイルデバイス（例えば、ＬＴＥ／ＬＴＥ−Ａ  Ｒｅｌｅａｓｅ  １２またはそれ以前のもとで動作するモバイルデバイス）は、拒絶原因値を理解しないことがあるので、そのようなモバイルデバイスは、ＰＣｅｌｌとしてのＮＣｅｌｌ＿０  １１２０のアクセスを停止(discontinue)できる。しかしながら、いくつかの例では、レガシーの拒絶原因値が、ＬＴＥ／ＬＴＥ−Ａ  Ｒｅｌｅａｓｅ  １２およびそれ以前との互換性を提供するために使用され得る。
【０１１８】
[0142]  アクセス拒絶シグナリング情報１１７０を受信して復号すると、モバイルデバイス１１１５は、ブロック１１７５において、アクセス拒絶シグナリング情報１１７０に少なくとも一部基づいて、ＮＣｅｌｌ＿０  １１２０がＰＣｅｌｌとしてサービスするのを禁止されること（またはＮＣｅｌｌ＿０がＳＣｅｌｌとして動作し得ること）を決定できる。この決定を行うと、モバイルデバイス１１１５は、セル再選択または初期アクセス手順を行うための別のセル（例えば、ＮＣｅｌｌ＿１  １１３０）を選択し、ＮＣｅｌｌ＿１  １１３０から第２のセル取得シグナリング情報１１８０を受信できる。
【０１１９】
[0143]  第２のセル取得シグナリング情報１１８０は、例えば、ＰＳＳ、ＳＳＳ、ＣＲＳ、ｅＣＲＳ、および／またはＣＥＴフレームを使用して、ＮＣｅｌｌ＿１  １１３０によって送信され得る。第２のセル取得シグナリング情報１１８０の受信に続いて、モバイルデバイス１１１５は、ＮＣｅｌｌ＿１  １１３０から第２のブロードキャストシグナリング情報１１８５を受信できる。第２のブロードキャストシグナリング情報は、例えば、ＭＩＢにおいて（例えば、ＭＩＢの、またはＭＩＢに追加される１つまたは複数の情報要素において）、および／または、ＳＩＢにおいて（例えば、ＳＩＢの、またはＳＩＢに追加される１つまたは複数の情報要素において）、ブロードキャストチャネルを通じてＮＣｅｌｌ＿１によってブロードキャストされ得る。第２のブロードキャストシグナリング情報１１８５の受信に続いて、モバイルデバイス１１１５は、ＮＣｅｌｌ＿１  １１３０にアクセスするための要求１１９０（例えば、ＲＲＣ接続要求）を送信できる。ＮＣｅｌｌ＿１  １１３０がＰＣｅｌｌとして動作し得る場合、ＮＣｅｌｌ＿１  １１３０は、アクセス受入シグナリング情報１１９５を送信できる。
【０１２０】
[0144]  図１２は、本開示の様々な態様による、ワイヤレス通信において使用するための装置１２０５のブロック図１２００を示す。いくつかの例では、装置１２０５は、図１、図２、および／または図３に関して説明された基地局１０５、２０５、および／または３０５の１つまたは複数の態様の例であってよく、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用してよい。装置１２０５はまた、図１、図２、図３、図５、図６、図７、図８、図９、図１０、および／または図１１に関して説明されたモバイルデバイス１１５、２１５、２１５−ａ、２１５−ｂ、３１５、５１５、６１５、７１５、８１５、９１５、１０１５、および／または１１１５の１つまたは複数の態様の例であり得る。装置１２０５はまた、プロセッサであり得る。装置１２０５は、受信機モジュール１２１０、セル再選択および／もしくはアクセス管理モジュール１２２０、並びに／または送信機モジュール１２３０を含み得る。これらのコンポーネントの各々は、互いに通信していることがある。
【０１２１】
[0145]  装置１２０５のコンポーネントは、ハードウェアにおいて適用可能な機能の一部または全てを行うように適合された１つまたは複数の特定用途向け集積回路（ＡＳＩＣ）を使用して、個々にまたは集合的に実施され得る。代替的には、それらの機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１２２】
[0146]  いくつかの例では、受信機モジュール１２１０は、免許高周波帯域（例えば、特定の用途のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つの高周波（ＲＦ）受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。受信機モジュール１２１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１２３】
[0147]  いくつかの例では、送信機モジュール１２３０は、免許高周波帯域および／または共有アクセス高周波帯域を通じて送信するように動作可能な少なくとも１つのＲＦ送信機のような少なくとも１つのＲＦ送信機を含み得る。送信機モジュール１２３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を送信するために使用され得る。通信リンクは、免許高周波帯域および／または共有アクセス高周波帯域を通じて確立され得る。
【０１２４】
[0148]  装置１２０５がＰＣｅｌｌ、ＮＣｅｌｌ、および／またはＳＣｅｌｌを運用する基地局として構成される装置１２０５の例では、セル再選択および／またはアクセス管理モジュール１２２０は、セル（このセルは装置１２０５および／または別のセルの一部または全てを含み得る）が共有アクセス高周波帯域において動作するかどうかを決定するために使用され得る。セル再選択および／またはアクセス管理モジュール１２２０はまた、送信機モジュール１２３０を介してシグナリング情報をモバイルデバイスに送信するために使用され得る。シグナリング情報は、共有アクセス高周波帯域においてセルが動作するという決定に少なくとも一部基づいてよく、セルがＰＣｅｌｌとしてサービスするのを禁止されること（またはセルがＳＣｅｌｌとして動作し得ること）を示してよい。
【０１２５】
[0149]  装置１２０５がモバイルデバイスとして構成される装置１２０５の例では、セル再選択および／またはアクセス管理モジュール１２２０は、基地局からシグナリング情報を受信するために使用され得る。シグナリング情報は、受信機モジュール１２１０を介して受信されてよく、共有アクセス高周波帯域において動作するセルがＰＣｅｌｌとしてサービスするのを禁止されること（またはセルがＳＣｅｌｌとして動作し得ること）を示してよい。セル再選択および／またはアクセス管理モジュール１２２０はまた、受信されたシグナリング情報に少なくとも一部基づいて、セルがＰＣｅｌｌとしてサービスするのを禁止されること（またはＳＣｅｌｌとして動作可能なセルとして）特定するために使用され得る。
【０１２６】
[0150]  装置１２０５がモバイルデバイスとして構成される装置１２０５の他の例では、セル再選択および／またはアクセス管理モジュール１２２０は、モバイルデバイスに記憶されている情報に少なくとも一部基づいて、共有アクセス高周波帯域において動作するセルがＰＣｅｌｌとしてサービスするのを禁止されること（またはＳＣｅｌｌとして動作可能なセルとして）特定するために使用され得る。
【０１２７】
[0151]  図１３は、本開示の様々な態様による、ワイヤレス通信において使用するための装置１３０５のブロック図１３００を示す。いくつかの例では、装置１３０５は、図１、図２、および／もしくは図３に関して説明された基地局１０５、２０５、および／もしくは３０５の１つまたは複数の態様、並びに／または、図１２に関して説明された装置１２０５の１つまたは複数の態様の例であってよく、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用してよい。装置１３０５はまた、プロセッサであり得る。装置１３０５は、受信機モジュール１３１０、セル再選択および／もしくはアクセス管理モジュール１３２０、並びに／または送信機モジュール１３３０を含み得る。これらのコンポーネントの各々は、互いに通信していることがある。
【０１２８】
[0152]  装置１３０５のコンポーネントは、個別にまたは集合的に、ハードウェア中の適用可能な機能の一部または全てを行うように適応された１つまたは複数のＡＳＩＣを使用して実施され得る。代替的に、機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１２９】
[0153]  いくつかの例では、受信機モジュール１３１０は、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つのＲＦ受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。受信機モジュール１３１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１３０】
[0154]  いくつかの例では、送信機モジュール１３３０は、免許高周波帯域および／または共有アクセス高周波帯域を通じて送信するように動作可能な少なくとも１つのＲＦ送信機のような少なくとも１つのＲＦ送信機を含み得る。送信機モジュール１３３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を送信するために使用され得る。通信リンクは、免許高周波帯域および／または共有アクセス高周波帯域を通じて確立され得る。
【０１３１】
[0155]  いくつかの例では、セル再選択および／またはアクセス管理モジュール１３２０は、図１２に関して説明されたセル再選択および／またはアクセス管理モジュール１２２０の１つまたは複数の態様の例であり得る。セル再選択および／またはアクセス管理モジュール１３２０は、セルタイプおよび／もしくは周波数タイプ決定モジュール１３３５、並びに／または、セルタイプおよび／もしくは周波数タイプ通知モジュール１３４０を含み得る。これらのコンポーネントの各々は、互いに通信していることがある。
【０１３２】
[0156]  いくつかの例では、セルタイプおよび／または周波数タイプ決定モジュール１３３５は、例えば、図７、図８、図９、図１０、および／または図１１のブロック７２５、８２５、９２５、１０２５、および／または１１２５に関して説明されたように、セル（このセルは装置１３０５および／または別のセルの一部または全てを含み得る）が共有アクセス高周波帯域において動作するかどうかを決定するために使用され得る。
【０１３３】
[0157]  いくつかの例では、セルタイプおよび／または周波数タイプ通知モジュール１３４０はまた、シグナリング情報を準備し、送信機モジュール１３３０を介してモバイルデバイスに送信するために使用され得る。シグナリング情報は、共有アクセス高周波帯域においてセルが動作するというセルタイプおよび／または周波数タイプ決定モジュール１３３５による決定に少なくとも一部基づき得る。シグナリング情報は、例えば、図７、図８、図９、図１０、および／または図１１のシグナリング情報７３０、７４０、８３５、９５５、１０６０、および／または１１７０に関して説明されたように、セルがＰＣｅｌｌとしてサービスするのを禁止されること（またはセルがＳＣｅｌｌとして動作し得ること）を示し得る。シグナリング情報は、例えば、図８、図９、図１０および／または図１１のブロック８３０、９４５、１０４５および／または１１４５において準備され得る。
【０１３４】
[0158]  モバイルデバイスが装置１３０５とのＲＲＣ接続状態にあるとき、モバイルデバイスに送信されるシグナリング情報は、ＲＲＣシグナリング情報を含み得る。ＲＲＣシグナリング情報は、図７および／または図８に関して説明されるＰＣｅｌｌ  ７１０および／または８１０によって送信されるシグナリング情報のいずれかを含み得る。
【０１３５】
[0159]  モバイルデバイスが装置１３０５に関してＲＲＣアイドル状態にあるとき、モバイルデバイスに送信されるシグナリング情報は、図９、図１０、および／または図１１に関して説明されたＮＣｅｌｌ  ９２０、９３０、１０２０、１０３０、１１２０、および／または１１３０によって送信されるシグナリング情報のいずれかを含み得る。
【０１３６】
[0160]  図１４は、本開示の様々な態様による、ワイヤレス通信において使用するための装置１４０５のブロック図１４００を示す。いくつかの例では、装置１４０５は、図１、図２、および／もしくは図３に関して説明された基地局１０５、２０５、および／もしくは３０５の１つまたは複数の態様、並びに／または、図１２および／もしくは図１３に関して説明された装置１２０５および／もしくは１３０５の１つまたは複数の態様の例であってよく、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用してよい。装置１４０５はまた、プロセッサであり得る。装置１４０５は、受信機モジュール１４１０、セル再選択および／もしくはアクセス管理モジュール１４２０、並びに／または送信機モジュール１４３０を含み得る。これらのコンポーネントの各々は、互いに通信していることがある。
【０１３７】
[0161]  装置１４０５のコンポーネントは、個別にまたは集合的に、ハードウェア中の適用可能な機能の一部または全てを行うように適応された１つまたは複数のＡＳＩＣを使用して実施され得る。代替的に、機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１３８】
[0162]  いくつかの例では、受信機モジュール１４１０は、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つのＲＦ受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。いくつかの場合、受信機モジュール１４１０は、免許高周波帯域および共有アクセス高周波帯域に対する別々の受信機を含み得る。いくつかの例では、別々の受信機は、免許高周波帯域を通じて通信するための免許帯域ＬＴＥ／ＬＴＥ−Ａ受信機モジュール１４１２、および共有アクセス高周波帯域を通じて通信するための共有帯域ＬＴＥ／ＬＴＥ−Ａ受信機モジュール１４１４という形態をとり得る。高周波帯域ＬＴＥ／ＬＴＥ−Ａ受信機モジュール１４１２および／または共有帯域ＬＴＥ／ＬＴＥ−Ａ受信機モジュール１４１４を含む受信機モジュール１４１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１３９】
[0163]  いくつかの例では、送信機モジュール１４３０は、免許高周波帯域および／または共有アクセス高周波帯域を通じて送信するように動作可能な少なくとも１つのＲＦ送信機のような少なくとも１つのＲＦ送信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。いくつかの場合、送信機モジュール１４３０は、免許高周波帯域および共有アクセス高周波帯域に対する別々の送信機を含み得る。いくつかの例では、別々の送信機は、免許高周波帯域を通じて通信するための免許帯域ＬＴＥ／ＬＴＥ−Ａ送信機モジュール１４３２、および共有アクセス高周波帯域を通じて通信するための共有帯域ＬＴＥ／ＬＴＥ−Ａ送信機モジュール１４３４という形態をとり得る。高周波帯域ＬＴＥ／ＬＴＥ−Ａ送信機モジュール１４３２および／または共有帯域ＬＴＥ／ＬＴＥ−Ａ送信機モジュール１４３４を含む送信機モジュール１４３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１４０】
[0164]  いくつかの例では、セル再選択および／またはアクセス管理モジュール１４２０は、図１２並びに／または図１３に関して説明されたセル再選択および／もしくはアクセス管理モジュール１２２０並びに／または１３２０の１つまたは複数の態様の例であり得る。セル再選択および／またはアクセス管理モジュール１４２０は、セルタイプおよび／もしくは周波数タイプ決定モジュール１４３５、並びに／または、セルタイプおよび／もしくは周波数タイプ通知モジュール１４４０を含み得る。これらのコンポーネントの各々は、互いに通信していることがある。
【０１４１】
[0165]  いくつかの例では、セルタイプおよび／または周波数タイプ決定モジュール１４３５は、図１３に関して説明されたセルタイプおよび／または周波数タイプ決定モジュール１３３５の例であってよく、図７、図８、図９、図１０、および／または図１１のブロック７２５、８２５、９２５、１０２５、および／または１１２５に関して説明されたように、セル（このセルは装置１４０５および／または別のセルの一部または全てを含み得る）が共有アクセス高周波帯域において動作するかどうかを決定するために使用され得る。
【０１４２】
[0166]  いくつかの例では、セルタイプおよび／または周波数タイプ通知モジュール１４４０は、図１３に関して説明されたセルタイプおよび／または周波数タイプ通知モジュール１３４０の例であってよく、シグナリング情報を準備し、送信機モジュール１４３０を介してモバイルデバイスに送信するために使用され得る。シグナリング情報は、共有アクセス高周波帯域においてセルが動作するというセルタイプおよび／または周波数タイプ決定モジュール１４３５による決定に少なくとも一部基づき得る。シグナリング情報は、セルがＰＣｅｌｌとしてサービスするのを禁止されること（またはセルがＳＣｅｌｌとして動作し得ること）を示し得る。セルタイプおよび／または周波数タイプ通知モジュール１４４０は、準備済セル通知モジュール１４４５、利用不可能セル／周波数通知モジュール１４５０、セル取得通知モジュール１４５５、ブロードキャスト通知モジュール１４６０、および／またはアクセス拒絶通知モジュール１４６５を含み得る。
【０１４３】
[0167]  準備済セル通知モジュール１４４５は、例えば図７のシグナリング情報に関して説明されたように、準備されているセルのリストを含むシグナリング情報をモバイルデバイスに送信するために使用され得る。
【０１４４】
[0168]  利用不可能セル／周波数通知モジュール１４５０は、例えば、ブロック８３０並びに図７および／もしくは図８のシグナリング情報７３０および／もしくは８３５に関して説明されたように、セル再選択または初期アクセスに利用不可能であるセルおよび／または周波数を示すシグナリング情報を準備して送信するために使用され得る。
【０１４５】
[0169]  セル取得通知モジュール１４５５は、例えば、図９のブロック９４５および第１のセル取得シグナリング情報９５５に関して説明されたように、少なくとも１つのセルがＰＣｅｌｌとしてサービスするのを禁止されること（または少なくとも１つのセルがＳＣｅｌｌとして動作し得ること）を示すシグナリング情報を準備して送信するために使用され得る。
【０１４６】
[0170]  ブロードキャスト通知モジュール１４６０は、例えば、図１０のブロック１０４５および第１のブロードキャストシグナリング情報１０６０に関して説明されたように、少なくとも１つのセルがＰＣｅｌｌとしてサービスするのを禁止されること（または少なくとも１つのセルがＳＣｅｌｌとして動作し得ること）を示すシグナリング情報を準備して送信するために使用され得る。
【０１４７】
[0171]  アクセス拒絶通知モジュール１４６５は、例えば、図１１のブロック１１４５およびアクセス拒絶シグナリング情報１１７０に関して説明されたように、少なくとも１つのセルがＰＣｅｌｌとしてサービスするのを禁止されること（または少なくとも１つのセルがＳＣｅｌｌとして動作し得ること）を示すシグナリング情報を準備して送信するために使用され得る。
【０１４８】
[0172]  図１５は、本開示の様々な態様による、ワイヤレス通信において使用するための装置１５１５のブロック図１５００を示す。いくつかの例では、装置１５１５はまた、図１、図２、図３、図５、図６、図７、図８、図９、図１０、および／もしくは図１１に関して説明されたモバイルデバイス１１５、２１５、２１５−ａ、２１５−ｂ、３１５、５１５、６１５、７１５、８１５、９１５、１０１５、および／もしくは１１１５の１つまたは複数の態様、並びに／または、図１２に関して説明された装置１２０５の１つまたは複数の態様の例であり得る。装置１５１５はまた、プロセッサであり得る。装置１５１５は、受信機モジュール１５１０、セル再選択および／もしくはアクセス管理モジュール１５２０、並びに／または送信機モジュール１５３０を含み得る。これらのコンポーネントの各々は、互いに通信していることがある。
【０１４９】
[0173]  装置１５１５のコンポーネントは、個別にまたは集合的に、ハードウェア中の適用可能な機能の一部または全てを行うように適応された１つまたは複数のＡＳＩＣを使用して実施され得る。代替的に、機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１５０】
[0174]  いくつかの例では、受信機モジュール１５１０は、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つのＲＦ受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。受信機モジュール１５１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１５１】
[0175]  いくつかの例では、送信機モジュール１５３０は、免許高周波帯域および／または共有アクセス高周波帯域を通じて送信するように動作可能な少なくとも１つのＲＦ送信機のような少なくとも１つのＲＦ送信機を含み得る。送信機モジュール１５３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を送信するために使用され得る。通信リンクは、免許高周波帯域および／または共有アクセス高周波帯域を通じて確立され得る。
【０１５２】
[0176]  いくつかの例では、セル再選択および／またはアクセス管理モジュール１５２０は、図１２に関して説明されたセル再選択および／またはアクセス管理モジュール１２２０の１つまたは複数の態様の例であり得る。セル再選択および／またはアクセス管理モジュール１５２０は、セルタイプおよび／または周波数タイプ特定モジュール１５３５を含み得る。
【０１５３】
[0177]  いくつかの例では、セルタイプおよび／または周波数タイプ特定モジュール１５３５は、例えば、図９、図１０、および／または図１１のブロック９４０、１０４０、および／または１１４０に関して説明されたように、装置１５１５に記憶されている情報に少なくとも一部基づいて、共有アクセス高周波帯域において動作するセルがＰＣｅｌｌとしてサービスするのを禁止されることを特定するために使用され得る。
【０１５４】
[0178]  図１６は、本開示の様々な態様による、ワイヤレス通信において使用するための装置１６１５のブロック図１６００を示す。いくつかの例では、装置１６１５はまた、図１、図２、図３、図５、図６、図７、図８、図９、図１０、および／もしくは図１１に関して説明されたモバイルデバイス１１５、２１５、２１５−ａ、２１５−ｂ、３１５、５１５、６１５、７１５、８１５、９１５、１０１５、および／もしくは１１１５の１つまたは複数の態様、並びに／または、図１２および／もしくは図１５に関して説明された装置１２０５および／もしくは１５１５の１つまたは複数の態様の例であり得る。装置１６１５はまた、プロセッサであり得る。装置１６１５は、受信機モジュール１６１０、セル再選択および／もしくはアクセス管理モジュール１６２０、並びに／または送信機モジュール１６３０を含み得る。これらのコンポーネントの各々は、互いに通信していることがある。
【０１５５】
[0179]  装置１６１５のコンポーネントは、個別にまたは集合的に、ハードウェア中の適用可能な機能の一部または全てを行うように適応された１つまたは複数のＡＳＩＣを使用して実施され得る。代替的に、機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１５６】
[0180]  いくつかの例では、受信機モジュール１６１０は、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つのＲＦ受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。受信機モジュール１６１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１５７】
[0181]  いくつかの例では、送信機モジュール１６３０は、免許高周波帯域および／または共有アクセス高周波帯域を通じて送信するように動作可能な少なくとも１つのＲＦ送信機のような少なくとも１つのＲＦ送信機を含み得る。送信機モジュール１６３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を送信するために使用され得る。通信リンクは、免許高周波帯域および／または共有アクセス高周波帯域を通じて確立され得る。
【０１５８】
[0182]  いくつかの例では、セル再選択および／またはアクセス管理モジュール１６２０は、図１２並びに／または図１５に関して説明されたセル再選択および／もしくはアクセス管理モジュール１２２０並びに／または１５２０の１つまたは複数の態様の例であり得る。セル再選択および／またはアクセス管理モジュール１６２０は、セルタイプおよび／もしくは周波数タイプ受信モジュール１６３５、並びに／または、セルタイプおよび／もしくは周波数タイプ特定モジュール１６４０を含み得る。これらのコンポーネントの各々は、互いに通信していることがある。
【０１５９】
[0183]  いくつかの例では、セルタイプおよび／または周波数タイプ受信モジュール１６３５は、例えば、図７、図８、図９、図１０、および／または図１１のシグナリング情報７４０、８３５、９５５、１０６０、および／または１１７０に関して説明されたように、共有アクセス高周波帯域において動作するセルがＰＣｅｌｌとしてサービスするのを禁止されることを示すシグナリング情報を基地局から受信するために使用され得る。シグナリング情報は、受信機モジュール１６１０を介して受信され得る。
【０１６０】
[0184]  いくつかの例では、セルタイプおよび／または周波数タイプ特定モジュール１６４０は、例えば、図７、図８、図９、図１０、および／または図１１のブロック７６５、８５０、９６０、１０６５、および／または１１７５に関して説明されたように、受信されたシグナリング情報に少なくとも一部基づいて、ＰＣｅｌｌとしてサービスするのを禁止されるものとしてあるセルを特定するために使用され得る。
【０１６１】
[0185]  図１７は、本開示の様々な態様による、ワイヤレス通信において使用するための装置１７１５のブロック図１７００を示す。いくつかの例では、装置１７１５はまた、図１、図２、図３、図５、図６、図７、図８、図９、図１０、および／もしくは図１１に関して説明されたモバイルデバイス１１５、２１５、２１５−ａ、２１５−ｂ、３１５、５１５、６１５、７１５、８１５、９１５、１０１５、および／もしくは１１１５の１つまたは複数の態様、並びに／または、図１２、図１５、および／もしくは図１６に関して説明された装置１２０５、１５１５、および／もしくは１６１５の１つまたは複数の態様の例であり得る。装置１７１５はまた、プロセッサであり得る。装置１７１５は、受信機モジュール１７１０、セル再選択および／もしくはアクセス管理モジュール１７２０、並びに／または送信機モジュール１７３０を含み得る。これらのコンポーネントの各々は、互いに通信していることがある。
【０１６２】
[0186]  装置１７１５のコンポーネントは、個別にまたは集合的に、ハードウェア中の適用可能な機能の一部または全てを行うように適応された１つまたは複数のＡＳＩＣを使用して実施され得る。代替的に、機能は、１つまたは複数の他の処理ユニット（またはコア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実施され得る。
【０１６３】
[0187]  いくつかの例では、受信機モジュール１７１０は、免許高周波帯域（例えば、特定の使用のために特定のユーザに免許されているので装置がアクセスを争わない高周波帯域）および／または共有アクセス高周波帯域（例えば、Ｗｉ−Ｆｉ高周波帯域、および／または複数のＭＮＯがアクセスする権限のある高周波帯域のような、免許不要の使用が可能であるので装置がアクセスを争う必要があり得る高周波帯域）を通じて送信を受信するように動作可能な少なくとも１つのＲＦ受信機のような、少なくとも１つのＲＦ受信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。いくつかの場合、受信機モジュール１７１０は、免許高周波帯域および共有アクセス高周波帯域に対する別々の受信機を含み得る。いくつかの例では、別々の受信機は、免許高周波帯域を通じて通信するための免許帯域ＬＴＥ／ＬＴＥ−Ａ受信機モジュール１７１２、および共有アクセス高周波帯域を通じて通信するための共有帯域ＬＴＥ／ＬＴＥ−Ａ受信機モジュール１７１４という形態をとり得る。高周波帯域ＬＴＥ／ＬＴＥ−Ａ受信機モジュール１７１２および／または共有帯域ＬＴＥ／ＬＴＥ−Ａ受信機モジュール１７１４を含む受信機モジュール１７１０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１６４】
[0188]  いくつかの例では、送信機モジュール１７３０は、免許高周波帯域および／または共有アクセス高周波帯域を通じて送信するように動作可能な少なくとも１つのＲＦ送信機のような少なくとも１つのＲＦ送信機を含み得る。いくつかの例では、免許高周波帯域と共有アクセス高周波帯域の両方が、例えば図２および／または図３に関して説明されたように、ＬＴＥ／ＬＴＥ−Ａ通信のために使用され得る。いくつかの場合、送信機モジュール１７３０は、免許高周波帯域および共有アクセス高周波帯域に対する別々の送信機を含み得る。いくつかの例では、別々の送信機は、免許高周波帯域を通じて通信するための免許帯域ＬＴＥ／ＬＴＥ−Ａ送信機モジュール１７３２、および共有アクセス高周波帯域を通じて通信するための共有帯域ＬＴＥ／ＬＴＥ−Ａ送信機モジュール１７３４という形態をとり得る。高周波帯域ＬＴＥ／ＬＴＥ−Ａ送信機モジュール１７３２および／または共有帯域ＬＴＥ／ＬＴＥ−Ａ送信機モジュール１７３４を含む送信機モジュール１６３０は、図１、図２、図３、図５、および／または図６に関して説明されたワイヤレス通信システム１００、２００、３００、５００、および／または６００の１つまたは複数の通信リンクのような、ワイヤレス通信システムの１つまたは複数の通信リンクを通じて、様々なタイプのデータおよび／または制御信号（すなわち、送信）を受信するために使用され得る。通信リンクは、免許高周波帯域および／または共有アクセス高周波帯域を通じて確立され得る。
【０１６５】
[0189]  いくつかの例では、セル再選択および／またはアクセス管理モジュール１７２０は、図１２、図１５、並びに／または図１６に関して説明されたセル再選択および／もしくはアクセス管理モジュール１２２０、１５２０、並びに／または１６２０の１つまたは複数の態様の例であり得る。セル再選択および／またはアクセス管理モジュール１７２０は、セルタイプおよび／もしくは周波数タイプ受信モジュール１７３５、並びに／または、セルタイプおよび／もしくは周波数タイプ特定モジュール１７４０を含み得る。これらのコンポーネントの各々は、互いに通信していることがある。
【０１６６】
[0190]  いくつかの例では、セルタイプおよび／または周波数タイプ受信モジュール１７３５は、図１６に関して説明されたセルタイプおよび／または周波数タイプ受信モジュール１６３５の例であってよく、共有アクセス高周波帯域において動作するセルがＰＣｅｌｌとしてサービスするのを禁止されることを示すシグナリング情報を基地局から受信するために使用されてよい。シグナリング情報は、受信機モジュール１７１０を介して受信され得る。セルタイプおよび／または周波数タイプ受信モジュール１７３５は、準備済セル受信モジュール１７４５、利用不可能セル／周波数受信モジュール１７５０、セル取得受信モジュール１７５５、ブロードキャスト受信モジュール１７６０、および／またはアクセス拒絶受信モジュール１７６５を含み得る。
【０１６７】
[0191]  準備済セル受信モジュール１７４５は、例えば図７のシグナリング情報に関して説明されたように、準備されているセルのリスト７４０を含むシグナリング情報を受信するために使用され得る。
【０１６８】
[0192]  利用不可能セル／周波数受信モジュール１７５０は、例えば、ブロック８３０並びに図７および／もしくは図８のシグナリング情報７３０および／もしくは８３５に関して説明されたように、セル再選択または初期アクセスに利用不可能であるセルおよび／または周波数を示すシグナリング情報を受信するために使用され得る。
【０１６９】
[0193]  セル取得受信モジュール１７５５は、例えば、図９のブロック９４５および第１のセル取得シグナリング情報９５５に関して説明されたように、少なくとも１つのセルがＰＣｅｌｌとしてサービスするのを禁止されること（または少なくとも１つのセルがＳＣｅｌｌとして動作し得ること）を示すシグナリング情報を受信するために使用され得る。
【０１７０】
[0194]  ブロードキャスト受信モジュール１７６０は、例えば、図１０のブロック１０４５および第１のブロードキャストシグナリング情報１０６０に関して説明されたように、少なくとも１つのセルがＰＣｅｌｌとしてサービスするのを禁止されること（または少なくとも１つのセルがＳＣｅｌｌとして動作し得ること）を示すシグナリング情報を受信するために使用され得る。
【０１７１】
[0195]  アクセス拒絶受信モジュール１７６５は、例えば、図１１のブロック１１４５およびアクセス拒絶シグナリング情報１１７０に関して説明されたように、少なくとも１つのセルがＰＣｅｌｌとしてサービスするのを禁止されること（または少なくとも１つのセルがＳＣｅｌｌとして動作し得ること）を示すシグナリング情報を受信するために使用され得る。
【０１７２】
[0196]  いくつかの例では、セルタイプおよび／または周波数タイプ特定モジュール１７４０は、図１６に関して説明されたセルタイプおよび／または周波数タイプ特定モジュール１６４０の例であってよく、例えば、図７、図８、図９、図１０、および／または図１１のブロック７６５、８５０、９６０、１０６５、および／または１１７５に関して説明されたように、受信されたシグナリング情報に少なくとも一部基づいて、ＰＣｅｌｌとしてサービスするのを禁止されるものとしてあるセルを特定するために使用され得る。
【０１７３】
[0197]  図１８は、本開示の様々な態様による、ワイヤレス通信において使用するための基地局１８０５（例えば、ｅＮＢ）のブロック図１８００を示す。いくつかの例では、基地局１８０５は、図１、図２、および／もしくは図３に関して説明された基地局１０５、２０５、および／もしくは３０５の１つまたは複数の態様、並びに／または、図５、図６、図７、図８、図９、図１０、および／もしくは図１１に関して説明されたＰＣｅｌｌ  ５１０、６１０、７１０、８１０、９１０、１０１０、および／もしくは１１１０の１つまたは複数の態様、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０の１つまたは複数の態様、並びに／または、図６に関して説明されたＳＣｅｌｌ  ６２０および／もしくは６３０の１つまたは複数の態様、並びに／または、図１２、図１３、および／もしくは図１４に関して説明された装置１２０５、１３０５、および／もしくは１４０５の１つまたは複数の態様の例であり得る。基地局１８０５は、図１、図２、図３、図５、図６、図７、図８、図９、図１０、図１１、図１２、図１３、および／または図１４に関して説明された基地局、セル、および／または装置の特徴および機能の少なくとも一部を実施または支援するように構成され得る。基地局１８０５は、基地局プロセッサモジュール１８１０、基地局メモリモジュール１８２０、（基地局送受信機モジュール１８５０によって表される）少なくとも１つの基地局送受信機モジュール、（基地局アンテナ１８５５によって表される）少なくとも１つの基地局アンテナ 、基地局ワイヤレス通信管理モジュール１８６０、並びに／または、基地局セル再選択および／もしくはアクセス管理モジュール１８８０を含み得る。基地局１８０５はまた、基地局通信モジュール１８３０および／またはネットワーク通信モジュール１８４０の１つまたは複数を含み得る。これらのコンポーネントの各々は、１つまたは複数のバス１８３５を通じて、直接的にまたは間接的に互いに通信していることがある。
【０１７４】
[0198]  基地局メモリモジュール１８２０は、ランダムアクセスメモリ（ＲＡＭ）および／または読取り専用メモリ（ＲＯＭ）を含み得る。基地局メモリモジュール１８２０は、実行されると、基地局プロセッサモジュール１８１０に、ハンドオーバー、セル再選択、または初期アクセス手順に関する本明細書で説明される様々な機能を行うように構成される命令を含む、コンピュータ可読の、コンピュータ実行可能ソフトウェア（ＳＷ）コード１８２５を記憶し得る。代替的に、ソフトウェアコード１８２５は、基地局プロセッサモジュール１８１０によって直接的に実行可能ではないことがあるが、（例えば、コンパイルされ実行されると）本明細書で説明される様々な機能を基地局１８０５に行わせるように構成され得る。
【０１７５】
[0199]  基地局プロセッサモジュール１８１０は、インテリジェントハードウェアデバイス、例えば、中央処理装置（ＣＰＵ）、マイクロコントローラ、ＡＳＩＣなどを含み得る。基地局プロセッサモジュール１８１０は、（１つまたは複数の）基地局送受信機モジュール１８５０、基地局通信モジュール１８３０、および／またはネットワーク通信モジュール１８４０を通じて受信された情報を処理できる。基地局プロセッサモジュール１８１０はまた、アンテナ１８５５を通じた送信のために送受信機モジュール１８５０へ、１つまたは複数の他の基地局１８０５−ａおよび１８０５−ｂへの送信のために基地局通信モジュール１８３０へ、並びに／または、図１に関して説明されたコアネットワーク１３０の１つまたは複数の態様の例であり得るコアネットワーク１８４５への送信のためにネットワーク通信モジュール１８４０へ送られるべき情報を処理し得る。基地局プロセッサモジュール１８１０は、単独で、または、基地局ワイヤレス通信管理モジュール１８６０および／もしくは基地局セル再選択および／もしくはアクセス管理モジュール１８８０とともに、第１の高周波帯域（例えば、ＬＴＥ／ＬＴＥ−Ａ通信に使用可能な免許高周波帯域）および／または第２の高周波帯域（例えば、ＬＴＥ／ＬＴＥ−Ａ通信に使用可能な共有アクセス高周波帯域）を通じた通信（またはそれを通じた通信の管理）の様々な態様を扱うことができる。
【０１７６】
[0200]  基地局送受信機モジュール１８５０は、パケットを変調し、変調されたパケットを送信のために基地局アンテナ１８５５に与え、基地局アンテナ１８５５から受信されたパケットを復調するように構成されたモデムを含み得る。基地局送受信機モジュール１８５０は、いくつかの例では、１つまたは複数の基地局送信機モジュールおよび１つまたは複数の別個の基地局受信機モジュールとして実施され得る。基地局送受信機モジュール１８５０は、第１の高周波帯域および／または第２の高周波帯域における通信をサポートし得る。基地局送受信機モジュール１８５０は、例えば、図１、図２、図３、図５、図６、図７、図８、図９、図１０、および／もしくは図１１に関して説明されたモバイルデバイス１１５、２１５、２１５−ａ、２１５−ｂ、３１５、５１５、６１５、７１５、８１５、９１５、１０１５、および／もしくは１１１５の１つまたは複数、並びに／または、図１２、図１５、図１６、および／もしくは図１７に関して説明された装置１２０５、１５１５、１６１５、および／もしくは１７１５の１つまたは複数のような、１つまたは複数の移動局または装置と、アンテナ１８５５を介して双方向に通信するように構成され得る。基地局１８０５は、例えば、複数の基地局アンテナ１８５５（例えば、アンテナアレイ）を含み得る。基地局１８０５は、ネットワーク通信モジュール１８４０を通じてコアネットワーク１８４５と通信し得る。基地局１８０５はまた、基地局通信モジュール１８３０を使用して、基地局１８０５−ａおよび１８０５−ｂのような他の基地局または基地局と通信し得る。
【０１７７】
[0201]  基地局ワイヤレス通信管理モジュール１８６０は、第１の高周波帯域および／または第２の高周波帯域を通じたワイヤレス通信に関する、図１、図２、図３、図５、図６、図７、図８、図９、図１０、図１１、図１２、図１３、および／または図１４に関して説明された特徴および／または機能の一部または全てを行うおよび／または制御するように構成され得る。例えば、基地局ワイヤレス通信管理モジュール１８６０は、第１の高周波帯域および／または第２の高周波帯域を使用して、補足ダウンリンクモード、キャリアアグリゲーションモード、および／またはスタンドアロン動作モードをサポートするように構成され得る。基地局ワイヤレス通信管理モジュール１８６０は、第１の高周波帯域におけるＬＴＥ／ＬＴＥ−Ａ通信を扱うように構成される基地局免許帯域ＬＴＥ／ＬＴＥ−Ａモジュール１８６５と、第２の高周波帯域におけるＬＴＥ／ＬＴＥ−Ａ通信を扱うように構成される基地局共有帯域ＬＴＥ／ＬＴＥ−Ａモジュール１８７０とを含み得る。基地局ワイヤレス通信管理モジュール１８６０またはその一部は、プロセッサを含んでよく、並びに／または、基地局ワイヤレス通信管理モジュール１８６０の機能の一部または全ては、基地局プロセッサモジュール１８１０によって、および／もしくは基地局プロセッサモジュール１８１０に関連して行われ得る。
【０１７８】
[0202]  基地局セル再選択および／またはアクセス管理モジュール１８８０は、第１の高周波帯域および／または第２の高周波帯域を使用したセルのセル再選択および／または初期アクセスに関する、図１、図２、図３、図５、図６、図７、図８、図９、図１０、図１１、図１２、図１３、および／または図１４に関して説明された特徴および／または機能の一部または全てを行うおよび／または制御するように構成され得る。いくつかの例では、基地局セル再選択および／またはアクセス管理モジュール１８８０は、図１２、図１３、並びに／または図１４に関して説明されたセル再選択および／もしくはアクセス管理モジュール１２２０、１３２０、並びに／または１４２０の１つまたは複数の態様の例であり得る。基地局セル再選択および／またはアクセス管理モジュール１８８０またはその一部は、プロセッサを含んでよく、並びに／または、基地局セル再選択および／またはアクセス管理モジュール１８８０の機能の一部または全ては、基地局プロセッサモジュール１８１０によって、および／もしくは基地局プロセッサモジュール１８１０に関連して行われ得る。
【０１７９】
[0203]  図１９は、本開示の様々な態様による、ワイヤレス通信において使用するためのモバイルデバイス１９１５（例えば、ＵＥ）のブロック図１９００を示す。モバイルデバイス１９１５は様々な構成を有してよく、パーソナルコンピュータ（例えば、ラップトップコンピュータ、ネットブックコンピュータ、タブレットコンピュータなど）、携帯電話、ＰＤＡ、デジタルビデオレコーダ（ＤＶＲ）、インターネット機器、ゲームコンソール、電子リーダーなどに含まれてよく、またはその一部であってよい。モバイルデバイス１９１５は、いくつかの例では、モバイル動作を容易にするために、小型バッテリーなどの内部電源（図示されず）を有し得る。いくつかの例では、モバイルデバイス１９１５はまた、図１、図２、図３、図５、図６、図７、図８、図９、図１０、および／もしくは図１１に関して説明されたモバイルデバイス１１５、２１５、２１５−ａ、２１５−ｂ、３１５、５１５、６１５、７１５、８１５、９１５、１０１５、および／もしくは１１１５の１つまたは複数の態様、並びに／または、図１２、図１５、図１６、および／もしくは図１７に関して説明された装置１２０５、１５１５、１６１５、および／もしくは１７１５の１つまたは複数の態様の例であり得る。モバイルデバイス１９１５は、図１、図２、図３、図５、図６、図７、図８、図９、図１０、図１１、図１２、図１５、図１６、および／または図１７に関して説明されたモバイルデバイスおよび／または装置の特徴および機能の少なくともいくつかを実施するように構成され得る。
【０１８０】
[0204]  モバイルデバイス１９１５は、モバイルデバイスプロセッサモジュール１９１０、モバイルデバイスメモリモジュール１９２０、（モバイルデバイス送受信機モジュール１９３０によって表される）少なくとも１つのモバイルデバイス送受信機モジュール、（モバイルデバイスアンテナ１９４０によって表される）少なくとも１つのモバイルデバイスアンテナ 、モバイルデバイスワイヤレス通信管理モジュール１９６０、並びに／または、モバイルデバイスセル再選択および／もしくはアクセス管理モジュール１９８０を含み得る。これらのコンポーネントの各々は、１つまたは複数のバス１９３５を通じて、直接的にまたは間接的に互いに通信していることがある。
【０１８１】
[0205]  モバイルデバイスメモリモジュール１９２０は、ＲＡＭおよび／またはＲＯＭを含み得る。モバイルデバイスメモリモジュール１９２０は、実行されると、モバイルデバイスプロセッサモジュール１９１０に、ハンドオーバー、セル再選択、または初期アクセス手順に関する本明細書で説明される様々な機能を行わせるように構成される命令を含む、コンピュータ可読の、コンピュータ実行可能ソフトウェア（ＳＷ）コード１９２５を記憶し得る。代替的に、ソフトウェアコード１９２５は、モバイルデバイスプロセッサモジュール１９１０によって直接的に実行可能ではないが、（例えば、コンパイルされ、実行されたとき）本明細書で説明される様々な機能をモバイルデバイス１９１５に行わせるように構成され得る。
【０１８２】
[0206]  モバイルデバイスプロセッサモジュール１９１０は、インテリジェントハードウェアデバイス、例えば、ＣＰＵ、マイクロコントローラ、ＡＳＩＣなどを含み得る。モバイルデバイスプロセッサモジュール１９１０は、モバイルデバイス送受信機モジュール１９３０を通じて受信された情報、および／またはモバイルデバイスアンテナ１９４０を通じた送信のためにモバイルデバイス送受信機モジュール１９３０に送られるべき情報を処理できる。モバイルデバイスプロセッサモジュール１９１０は、単独で、または、モバイルデバイスワイヤレス通信管理モジュール１９６０および／もしくはモバイルデバイスセル再選択および／もしくはアクセス管理モジュール１９８０とともに、第１の高周波帯域（例えば、ＬＴＥ／ＬＴＥ−Ａ通信に使用可能な免許高周波帯域）および／または第２の高周波帯域（例えば、ＬＴＥ／ＬＴＥ−Ａ通信に使用可能な共有アクセス高周波帯域）を通じた通信（またはそれを通じた通信の管理）の様々な態様を扱うことができる。
【０１８３】
[0207]  モバイルデバイス送受信機モジュール１９３０は、パケットを変調し、変調されたパケットを送信のためにモバイルデバイスアンテナ１９４０に与え、モバイルデバイスアンテナ１９４０から受信されたパケットを復調するように構成されたモデムを含み得る。モバイルデバイス送受信機モジュール１９３０は、いくつかの例では、１つまたは複数のモバイルデバイス送信機モジュールおよび１つまたは複数の別個のモバイルデバイス受信機モジュールとして実施され得る。モバイルデバイス送受信機モジュール１９３０は、第１の高周波帯域および／または第２の高周波帯域における通信をサポートし得る。モバイルデバイス送受信機モジュール１９３０は、図１、図２、図３、および／もしくは図１８に関して説明された基地局１０５、２０５、３０５、および／または１８０５の１つまたは複数、並びに／または、図５、図６、図７、図８、図９、図１０、および／もしくは図１１に関して説明されたＰＣｅｌｌ  ５１０、６１０、７１０、８１０、９１０、１０１０、および／もしくは１１１０の１つまたは複数、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０の１つまたは複数、並びに／または、図６に関して説明されたＳＣｅｌｌ  ６２０および／もしくは６３０の１つまたは複数、並びに／または、図１２、図１３、および／もしくは図１４に関して説明された装置１２０５、１３０５、および／もしくは１４０５の１つまたは複数と、モバイルデバイスアンテナ１９４０を介して双方向に通信するように構成され得る。モバイルデバイス１９１５は単一のモバイルデバイスアンテナを含み得るが、モバイルデバイス１９１５が複数のモバイルデバイスアンテナ１９４０を含み得る例があり得る。
【０１８４】
[0208]  状態モジュール１９５０は、例えば、ＲＲＣアイドル状態とＲＲＣ接続状態との間のモバイルデバイス１９１５の移行を管理するために使用されてよく、１つまたは複数のバス１９３５を通じて、直接または間接的にモバイルデバイス１９１５の他のコンポーネントと通信していてよい。状態モジュール１９５０またはその一部は、プロセッサを含んでよく、並びに／または、状態モジュール１９５０の機能の一部または全ては、モバイルデバイスプロセッサモジュール１９１０によって、および／もしくはモバイルデバイスプロセッサモジュール１９１０に関連して行われ得る。
【０１８５】
[0209]  モバイルデバイスワイヤレス通信管理モジュール１９６０は、第１の高周波帯域および／または第２の高周波帯域を通じたワイヤレス通信に関する、図１、図２、図３、図５、図６、図７、図８、図９、図１０、図１１、図１２、図１５、図１６、および／または図１７に関して説明された特徴および／または機能の一部または全てを行うおよび／または制御するように構成され得る。例えば、モバイルデバイスワイヤレス通信管理モジュール１９６０は、第１の高周波帯域および／または第２の高周波帯域を使用して、補足ダウンリンクモード、キャリアアグリゲーションモード、および／またはスタンドアロン動作モードをサポートするように構成され得る。モバイルデバイスワイヤレス通信管理モジュール１９６０は、第１の高周波帯域におけるＬＴＥ／ＬＴＥ−Ａ通信を扱うように構成されるモバイルデバイス免許帯域ＬＴＥ／ＬＴＥ−Ａモジュール１９６５と、第２の高周波帯域におけるＬＴＥ／ＬＴＥ−Ａ通信を扱うように構成されるモバイルデバイス共有帯域ＬＴＥ／ＬＴＥ−Ａモジュール１９７０とを含み得る。モバイルデバイスワイヤレス通信管理モジュール１９６０またはその一部は、プロセッサを含んでよく、並びに／または、モバイルデバイスワイヤレス通信管理モジュール１９６０の機能の一部または全ては、モバイルデバイスプロセッサモジュール１９１０によって、および／もしくはモバイルデバイスプロセッサモジュール１９１０に関連して行われ得る。
【０１８６】
[0210]  モバイルデバイスセル再選択および／またはアクセス管理モジュール１９８０は、第１の高周波帯域および／または第２の高周波帯域を使用したセルのセル再選択および／または初期アクセスに関する、図１、図２、図３、図５、図６、図７、図８、図９、図１０、図１１、図１２、図１５、図１６、および／または図１７に関して説明された特徴および／または機能の一部または全てを行うおよび／または制御するように構成され得る。いくつかの例では、モバイルデバイスセル再選択および／またはアクセス管理モジュール１９８０は、図１２、図１５、図１６、並びに／または図１７に関して説明されたセル再選択および／もしくはアクセス管理モジュール１２２０、１５２０、１６２０、並びに／または１７２０の１つまたは複数の態様の例であり得る。モバイルデバイスセル再選択および／またはアクセス管理モジュール１９８０またはその一部は、プロセッサを含んでよく、並びに／または、モバイルデバイスセル再選択および／またはアクセス管理モジュール１９８０の機能の一部または全ては、モバイルデバイスプロセッサモジュール１９１０によって、および／もしくはモバイルデバイスプロセッサモジュール１９１０に関連して行われ得る。
【０１８７】
[0211]  図２０は、本開示の様々な態様による、（例えば、基地局またはセルによる）ワイヤレス通信のための方法２０００の例を示すフローチャートである。明確にするために、方法２０００は、図１、図２、図３、および／もしくは図１８に関して説明された基地局１０５、２０５、３０５、および／もしくは１８０５の１つまたは複数の態様、並びに／または、図１２、図１３、および／もしくは図１４に関して説明された装置１２０５、１３０５、および／もしくは１４０５の１つまたは複数の態様に関して以下で説明され、これらの態様は、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用し得る。いくつかの例では、ＰＣｅｌｌ、ＳＣｅｌｌ、および／またはＮＣｅｌｌを運用する基地局および／または装置は、以下で説明される機能を行うように基地局、装置、ＰＣｅｌｌ、ＳＣｅｌｌ、および／またはＮＣｅｌｌの機能要素を制御するために、コードの１つまたは複数のセットを実行し得る。
【０１８８】
[0212]  ブロック２００５において、方法２０００は、セルが共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定することを含み得る。ブロック２００５の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０１８９】
[0213]  ブロック２０１０において、方法２０００は、共有アクセス高周波帯域においてセルが動作するという決定に少なくとも一部基づいて、セルが主要サービングセルとしてサービスするのを禁止されることを示すシグナリング情報をモバイルデバイスに送信することを含み得る。ブロック２０１０の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ通知モジュール１３４０および／もしくは１４４０を使用して行われ得る。
【０１９０】
[0214]  モバイルデバイスがＲＲＣ接続状態にあるとき、モバイルデバイスに送信されるシグナリング情報は、ＲＲＣシグナリング情報を含み得る。ＲＲＣシグナリング情報は、図７および／または図８に関して説明されるＰＣｅｌｌ  ７１０および／または８１０によって送信されるシグナリング情報のいずれかを含み得る。
【０１９１】
[0215]  モバイルデバイスがＲＲＣアイドル状態にあるとき、モバイルデバイスに送信されるシグナリング情報は、図９、図１０、および／または図１１に関して説明されたＮＣｅｌｌ  ９２０、９３０、１０２０、１０３０、１１２０、および／または１１３０によって送信されるシグナリング情報のいずれかを含み得る。
【０１９２】
[0216]  従って、方法２０００はワイヤレス通信を提供できる。方法２０００は一実施形態にすぎず、方法２０００の動作は、他の実施形態が可能であるように再構成されるか、または別様に変形され得ることに留意されたい。
【０１９３】
[0217]  図２１は、本開示の様々な態様による、（例えば、基地局またはセルによる）ワイヤレス通信のための方法２１００の例を示すフローチャートである。明確にするために、方法２１００は、図１、図２、図３、および／もしくは図１８に関して説明された基地局１０５、２０５、３０５、および／もしくは１８０５の１つまたは複数の態様、並びに／または、図１２、図１３、および／もしくは図１４に関して説明された装置１２０５、１３０５、および／もしくは１４０５の１つまたは複数の態様に関して以下で説明され、これらの態様は、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用し得る。いくつかの例では、ＰＣｅｌｌ、ＳＣｅｌｌ、および／またはＮＣｅｌｌを運用する基地局および／または装置は、以下で説明される機能を行うように基地局、ＰＣｅｌｌ、ＳＣｅｌｌ、ＮＣｅｌｌ、および／または装置の機能要素を制御するために、コードの１つまたは複数のセットを実行し得る。
【０１９４】
[0218]  ブロック２１０５において、方法２１００は、セルが共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定することを含み得る。ブロック２００５の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０１９５】
[0219]  ブロック２１１０、ブロック２１１５、および／またはブロック２１２５において、方法２１００は、セルが主要サービングセルとして機能するのを禁止されていることを示すシグナリング情報をモバイルデバイスに送信するかどうかを決定することを含み得る。ブロック２１１０、２１１５、および／または２１２５の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ通知モジュール１３４０および／もしくは１４４０を使用して行われ得る。
【０１９６】
[0220]  より具体的には、ブロック２１１０において、方法２１００は、セル取得シグナリング情報をモバイルデバイスに送信することを含み得る。ブロック２１１０においてモバイルデバイスに送信されるセル取得シグナリング情報は、図９に関して説明されたＮＣｅｌｌ  ９２０および／または９３０によって送信されるセル取得シグナリング情報のいずれかを含み得る。
【０１９７】
[0221]  ブロック２１１５において、方法２１００は、シグナリング情報をモバイルデバイスにブロードキャストすることを含み得る。ブロック２１１５においてモバイルデバイスにブロードキャストされるシグナリング情報は、図１０に関して説明されたＮＣｅｌｌ  １０２０および／または１０３０によってブロードキャストされるブロードキャストシグナリング情報のいずれかを含み得る。
【０１９８】
[0222]  ブロック２１２０において、方法２１００は、セルにアクセスするための要求が受信されたかどうかを決定することを含み得る。セルにアクセスするための要求が受信されたとき、方法はブロック２１２５に進むことができ、そこで、方法２１００はアクセス拒絶シグナリング情報をモバイルデバイスに送信することを含み得る。ブロック２１２５においてモバイルデバイスに送信されるアクセス拒絶シグナリング情報は、図１１に関して説明されたＮＣｅｌｌ  １１２０および／または１１３０によってブロードキャストされるアクセス拒絶シグナリング情報のいずれかを含み得る。
【０１９９】
[0223]  従って、方法２１００はワイヤレス通信を提供できる。方法２１００は一実施形態にすぎず、方法２１００の動作は、他の実施形態が可能であるように再構成されるか、または別様に変形され得ることに留意されたい。
【０２００】
[0224]  図２２は、本開示の様々な態様による、（例えば、基地局またはセルによる）ワイヤレス通信のための方法２２００の例を示すフローチャートである。明確にするために、方法２２００は、図１、図２、図３、および／もしくは図１８に関して説明された基地局１０５、２０５、３０５、および／もしくは１８０５の１つまたは複数の態様、並びに／または、図１２、図１３、および／もしくは図１４に関して説明された装置１２０５、１３０５、および／もしくは１４０５の１つまたは複数の態様に関して以下で説明され、これらの態様は、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用し得る。いくつかの例では、ＰＣｅｌｌ、ＳＣｅｌｌ、および／またはＮＣｅｌｌを運用する基地局および／または装置は、以下で説明される機能を行うように基地局、装置、ＰＣｅｌｌ、ＳＣｅｌｌ、および／またはＮＣｅｌｌの機能要素を制御するために、コードの１つまたは複数のセットを実行し得る。
【０２０１】
[0225]  ブロック２２０５において、方法２２００は、セルが共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定することを含み得る。ブロック２２０５の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０２０２】
[0226]  ブロック２２１０において、方法２２００は、共有アクセス高周波帯域の１つまたは複数の周波数範囲が主要サービングセルの選択に適していないと決定することを含み得る。１つまたは複数の周波数範囲は、共有アクセス高周波帯域において動作するセルによって使用される周波数を含み得る。ブロック２２１０の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０２０３】
[0227]  ブロック２２１５において、方法２２００は、共有アクセス高周波帯域においてセルが動作するという決定に少なくとも一部基づいて、セルが主要サービングセルとしてサービスするのを禁止されることを示すシグナリング情報をモバイルデバイスに送信することを含み得る。シグナリング情報の少なくとも一部分は、共有アクセス高周波帯域の１つまたは複数の周波数範囲を一意に特定する、１つまたは複数の周波数バンド識別子および／またはチャネル識別子を含み得る。ブロック２２１５の動作は、図１２、図１３、図１４、および／もしくは図１８に関して説明されたセル再選択および／またはアクセス管理モジュール１２２０、１３２０、１４２０、および／もしくは１８８０、図１３および／もしくは図１４に関して説明されたセルタイプおよび／または周波数タイプ通知モジュール１３４０および／もしくは１４４０、並びに／または、図１４に関して説明された利用不可能セル／周波数通知モジュール１４５０を使用して行われ得る。
【０２０４】
[0228]  従って、方法２２００はワイヤレス通信を提供できる。方法２２００は一実施形態にすぎず、方法２２００の動作は、他の実施形態が可能であるように再構成されるか、または別様に変形され得ることに留意されたい。
【０２０５】
[0229]  図２３は、本開示の様々な態様による、（例えば、基地局またはセルによる）ワイヤレス通信のための方法２３００の例を示すフローチャートである。明確にするために、方法２３００は、図１、図２、図３、および／もしくは図１８に関して説明された基地局１０５、２０５、３０５、および／もしくは１８０５の１つまたは複数の態様、並びに／または、図１２、図１３、および／もしくは図１４に関して説明された装置１２０５、１３０５、および／もしくは１４０５の１つまたは複数の態様に関して以下で説明され、これらの態様は、図５、図６、図７、図８、図９、図１０、および／もしくは図１１に関して説明されたＰＣｅｌｌ  ５１０、６１０、７１０、８１０、９１０、１０１０、および／もしくは１１１０、並びに／または、図５、図６、図９、図１０、および／もしくは図１１に関して説明されたＮＣｅｌｌ  ５２０、５３０、６４０、６５０、９２０、９３０、１０２０、１０３０、１１２０、および／もしくは１１３０、並びに／または、図６に関して説明されたＳＣｅｌｌ  ６２０および／もしくは６３０を運用し得る。いくつかの例では、ＰＣｅｌｌ、ＳＣｅｌｌ、および／またはＮＣｅｌｌを運用する基地局および／または装置は、以下で説明される機能を行うように基地局、装置、ＰＣｅｌｌ、ＳＣｅｌｌ、および／またはＮＣｅｌｌの機能要素を制御するために、コードの１つまたは複数のセットを実行し得る。
【０２０６】
[0230]  ブロック２３０５において、方法２３００は、セルが共有アクセス高周波帯域（例えば、Ｗｉ−Ｆｉ高周波帯域および／または複数のＭＮＯがアクセスする権限のある高周波帯域のような、免許不要の使用が可能であるので装置がアクセスを争う必要があり得る高周波帯域）において動作すると決定することを含み得る。ブロック２３０５の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０２０７】
[0231]  ブロック２３１０において、方法２３００は、共有アクセス高周波帯域の周波数範囲が主要サービングセルの選択に適していないと決定することを含み得る。周波数範囲は、共有アクセス高周波帯域において動作するセルによって使用される周波数を含み得る。ブロック２３１０の動作は、図１２、図１３、図１４、および／もしくは図１８に関して説明されたセル再選択および／またはアクセス管理モジュール１２２０、１３２０、１４２０、および／もしくは１８８０、並びに／または、図１３および／もしくは図１４に関して説明されたセルタイプおよび／または周波数タイプ決定モジュール１３３５および／もしくは１４３５を使用して行われ得る。
【０２０８】
[0232]  ブロック２３１５において、方法２３００は、共有アクセス高周波帯域においてセルが動作するという決定に少なくとも一部基づいて、セルが主要サービングセルとしてサービスするのを禁止されることを示すシグナリング情報をモバイルデバイスに送信することを含み得る。シグナリング情報の少なくとも一部分は、共有アクセス高周波帯域の周波数範囲を特定する、複数の周波数バンド識別子および／またはチャネル識別子の１つを含み得る。ブロック２３１５の動作は、図１２、図１３、図１４、および／もしくは図１８に関して説明されたセル再選択および／またはアクセス管理モジュール１２２０、１３２０、１４２０、および／もしくは１８８０、図１３および／もしくは図１４に関して説明されたセルタイプおよび／または周波数タイプ通知モジュール１３４０および／もしくは１４４０、並びに／または、図１４に関して説明された利用不可能セル／周波数通知モジュール１４５０および／もしくはブロードキャスト通知モジュール１４６０を使用して行われ得る。
【０２０９】
[0233]  従って、方法２３００はワイヤレス通信を提供できる。方法２３００は一実施形態にすぎず、方法２３００の動作は、他の実施形態が可能であるように再構成されるか、または別様に変形され得ることに留意されたい。
【０２１０】
[0234]  いくつかの例では、方法２０００、２１００、２２００、および／または２３００の１つまたは複数の態様が組み合わされ得る。
【０２１１】
[0235]  図２４は、本開示の様々な態様による、（例えば、モバイルデバイスによる）ワイヤレス通信のための方法２４００の例を示すフローチャートである。明確にするために、方法２４００はまた、図１、図２、図３、図５、図６、図７、図８、図９、図１０、図１１、および／もしくは図１９に関して説明されたモバイルデバイス１１５、２１５、２１５−ａ、２１５−ｂ、３１５、５１５、６１５、７１５、８１５、９１５、１０１５、１１１５、および／もしくは１９１５の１つまたは複数の態様、並びに／または、図１２および／もしくは図１５に関して説明された装置１２０５および／もしくは１５０５の１つまたは複数の態様に関して以下で説明される。いくつかの例では、モバイルデバイスおよび／または装置は、以下で説明される機能を行うようにモバイルデバイスおよび／または装置の機能要素を制御するために、コードの１つまたは複数のセットを実行し得る。
【０２１２】
[0236]  ブロック２４０５において、方法２４００は、モバイルデバイスおよび／または装置によって、モバイルデバイスおよび／または装置に記憶されている情報に少なくとも一部基づいて、共有アクセス高周波帯域において動作するセルが主要サービングセルとしてサービスするのを禁止されることを、特定することを含み得る。ブロック２４０５の動作は、図１２、図１５、および／もしくは図１９に関して説明されたセル再選択および／またはアクセス管理モジュール１２２０、１５２０、および／もしくは１９８０、並びに／または、図１５に関して説明されたセルタイプおよび／もしくは周波数タイプ特定モジュール１５３５を使用して行われ得る。
【０２１３】
[0237]  いくつかの例では、モバイルデバイスに記憶されている情報は、図９、図１０、および／または図１１に関して説明されたモバイルデバイス９１５、１０１５、および／または１１１５に記憶されている情報を含み得る。
【０２１４】
[0238]  従って、方法２４００はワイヤレス通信を提供できる。方法２４００は一実施形態にすぎず、方法２４００の動作は、他の実施形態が可能であるように再構成されるか、または別様に変形され得ることに留意されたい。
【０２１５】
[0239]  図２５は、本開示の様々な態様による、（例えば、モバイルデバイスによる）ワイヤレス通信のための方法２５００の例を示すフローチャートである。明確にするために、方法２５００はまた、図１、図２、図３、図５、図６、図７、図８、図９、図１０、図１１、および／もしくは図１９に関して説明されたモバイルデバイス１１５、２１５、２１５−ａ、２１５−ｂ、３１５、５１５、６１５、７１５、８１５、９１５、１０１５、１１１５、および／もしくは１９１５の１つまたは複数の態様、並びに／または、図１２、図１６、および／もしくは図１７に関して説明された装置１２０５、１６０５、および／もしくは１７０５の１つまたは複数の態様に関して以下で説明される。いくつかの例では、モバイルデバイスおよび／または装置は、以下で説明される機能を行うようにモバイルデバイスおよび／または装置の機能要素を制御するために、コードの１つまたは複数のセットを実行し得る。
【０２１６】
[0240]  ブロック２５０５において、方法２５００は、共有アクセス高周波帯域において動作するセルが主要サービングセルとしてサービスするのを禁止されることを示すシグナリング情報を基地局からモバイルデバイスにおいて受信することを含み得る。ブロック２５０５の動作は、図１２、図１６、図１７、および／もしくは図１９に関して説明されたセル再選択および／またはアクセス管理モジュール１２２０、１６２０、１７２０、および／もしくは１９８０、並びに／または、図１６および／もしくは図１７に関して説明されたセルタイプおよび／または周波数タイプ受信モジュール１６３５および／もしくは１７３５を使用して行われ得る。
【０２１７】
[0241]  いくつかの例では、モバイルデバイスにおいて受信されるシグナリング情報は、図７、図８、図９、図１０、および／または図１１に関して説明されたモバイルデバイス７１５、８１５、９１５、１０１５、および／または１１１５において受信される情報を含み得る。
【０２１８】
[0242]  いくつかの例では、シグナリング情報は、専用シグナリングリソースを介して、および／またはＲＲＣシグナリングを介して受信され得る。
【０２１９】
[0243]  ブロック２５１０において、方法２５００は、受信されたシグナリング情報に少なくとも一部基づいて、主要サービングセルとしてサービスするのを禁止されるものとしてセルを特定することを含み得る。ブロック２５１０の動作は、図１２、図１６、図１７、および／もしくは図１９に関して説明されたセル再選択および／またはアクセス管理モジュール１２２０、１６２０、１７２０、および／もしくは１９８０、並びに／または、図１６および／もしくは図１７に関して説明されたセルタイプおよび／または周波数タイプ特定モジュール１６４０および／もしくは１７４０を使用して行われ得る。
【０２２０】
[0244]  方法２５００のいくつかの例では、シグナリング情報の少なくとも一部分は、共有アクセス高周波帯域の１つまたは複数の周波数範囲を一意に特定する、１つまたは複数の周波数バンド識別子および／またはチャネル識別子を含み得る。１つまたは複数の周波数範囲は、主要セルとしてサービスするのを禁止されるものとして特定されるセルによって使用される周波数を含み得る。これらの例では、方法２５００は、例えば、図１０に関して説明されたように、共有アクセス高周波帯域の１つまたは複数の周波数範囲が主要サービングセルの選択に適していないと決定することを含み得る。
【０２２１】
[0245]  方法２５００のいくつかの例では、シグナリング情報の少なくとも一部分は、共有アクセス高周波帯域の周波数範囲を特定する、複数の周波数バンド識別子および／またはチャネル識別子の１つを含み得る。周波数範囲は、主要セルとしてサービスするのを禁止されるものとして特定されるセルによって使用される周波数を含み得る。これらの例では、方法２５００は、例えば、図９、図１０、および／または図１１に関して説明されたように、共有アクセス高周波帯域の周波数範囲が主要サービングセルの選択に適していないと決定することを含み得る。
【０２２２】
[0246]  従って、方法２５００はワイヤレス通信を提供できる。方法２５００は一実施形態にすぎず、方法２５００の動作は、他の実施形態が可能であるように再構成されるか、または別様に変形され得ることに留意されたい。
【０２２３】
[0247]  いくつかの例では、方法２４００および／または２５００の１つまたは複数の態様が組み合わされ得る。
【０２２４】
[0248]  添付の図面に関して上に記載された詳細な説明は、例を説明しており、実施され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。発明を実施するための形態は、説明される技法の理解をもたらすための具体的な詳細を含む。しかしながら、これらの技法は、これらの特定の詳細を伴わずに実践され得る。いくつかの事例では、説明される例の概念を不明瞭にすることを避けるために、よく知られている構造および装置がブロック図の形態で示されている。
【０２２５】
[0249]  情報および信号は、種々の異なる技術および技法のいずれかを使用して表され得る。例えば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２２６】
[0250]  本明細書の開示に関連して説明される様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートもしくはトランジスタロジック、個別ハードウェアコンポーネント、もしくは本明細書で説明される機能を行うように設計されたそれらの任意の組合せによって実施または行われ得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つもしくは複数のマイクロプロセッサ、または任意の他のそのような構成としても実施され得る。
【０２２７】
[0251]  本明細書において説明される機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとして非一時的コンピュータ可読媒体上に記憶され、または非一時的コンピュータ可読媒体を通じて送信され得る。他の例および実施形態が、本開示および添付の特許請求の範囲および趣旨の中にある。例えば、ソフトウェアの性質により、上で説明された機能は、プロセッサ、ハードウェア、ファームウェア、ハードワイヤリング、またはこれらのいずれかの組合せによって実行されるソフトウェアを使用して実施され得る。機能を実施する特徴はまた、機能の一部が異なる物理的場所において実施されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０２２８】
[0252]  コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の入手可能な媒体であり得る。限定ではなく例として、コンピュータ可読記憶媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令もしくはデータ構造の形態で所望のプログラムコード手段を搬送または格納するために使用され、汎用もしくは専用コンピュータ、または汎用もしくは専用プロセッサによってアクセスされ得る任意の他の媒体を備え得る。また、任意の接続がコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２２９】
[0253]  本開示の先の説明は、当業者が本開示を作成または使用できるように与えられる。本開示に対する様々な変形が当業者には容易に明らかとなり、本明細書で定義された一般的な原理は、本開示の趣旨または範囲から逸脱することなく他の変形形態に適用され得る。本開示全体にわたって、「例」または「例示的」という用語は、例または事例を示すものであり、言及された例についてのいかなる選好も暗示または要求しない。従って、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信のための方法であって、
共有アクセス高周波帯域においてセルが動作すると決定することと、
前記共有アクセス高周波帯域において前記セルが動作するという前記決定に少なくとも一部基づいて、前記セルが主要サービングセルとしてサービスするのを禁止されることを示すシグナリング情報をモバイルデバイスに送信することとを備える、方法。
［Ｃ２］
前記シグナリング情報を送信することが、
専用シグナリングリソースを使用して前記シグナリング情報を送信することを備える、Ｃ１に記載の方法。
［Ｃ３］
前記シグナリング情報が、無線リソース制御（ＲＲＣ）シグナリング情報を備える、Ｃ２に記載の方法。
［Ｃ４］
前記シグナリング情報が、前記モバイルデバイスが無線リソース制御（ＲＲＣ）アイドル状態にあるときに前記モバイルデバイスが監視すべきではない、前記共有アクセス高周波帯域の１つまたは複数の周波数を示す、Ｃ３に記載の方法。
［Ｃ５］
前記共有アクセス高周波帯域の１つまたは複数の周波数が、セル再選択の優先度を割り当てられない、Ｃ１に記載の方法。
［Ｃ６］
前記シグナリング情報を送信することが、
前記シグナリング情報をブロードキャストすることを備える、Ｃ１に記載の方法。
［Ｃ７］
前記シグナリング情報が、前記モバイルデバイスがある時間期間の間主要サービングセルとして前記セルにアクセスするのを禁止されることを示す、Ｃ１に記載の方法。
［Ｃ８］
前記共有アクセス高周波帯域の１つまたは複数の周波数範囲が主要サービングセルの選択に適していないと決定することをさらに備え、前記１つまたは複数の周波数範囲が前記セルによって使用される周波数を含み、
前記シグナリング情報の少なくとも一部分が、前記共有アクセス高周波帯域の前記１つまたは複数の周波数範囲を一意に特定する、１つまたは複数の周波数バンド識別子またはチャネル識別子を備える、Ｃ１に記載の方法。
［Ｃ９］
前記共有アクセス高周波帯域の周波数範囲が主要サービングセルの選択に適していないと決定することをさらに備え、前記周波数範囲が前記セルによって使用される周波数を含み、
前記シグナリング情報の少なくとも一部分が、前記共有アクセス高周波帯域の前記周波数範囲を特定する、複数の周波数バンド識別子またはチャネル識別子の１つを備える、Ｃ１に記載の方法。
［Ｃ１０］
前記シグナリング情報を送信することが、
主要同期信号（ＰＳＳ）、二次的同期信号（ＳＳＳ）、またはセル参照信号（ＣＲＳ）を使用して前記シグナリング情報を送信することを備える、Ｃ１に記載の方法。
［Ｃ１１］
前記シグナリング情報を送信することが、
クリアチャネルアセスメント（ＣＣＡ）免除送信（ＣＥＴ）フレームを使用して前記シグナリング情報を送信することを備える、Ｃ１に記載の方法。
［Ｃ１２］
前記シグナリング情報がマスター情報ブロック（ＭＩＢ）において送信される、Ｃ１に記載の方法。
［Ｃ１３］
前記シグナリング情報が前記ＭＩＢに追加される１つまたは複数の情報要素を使用して送信される、Ｃ１２に記載の方法。
［Ｃ１４］
前記シグナリング情報がシステム情報ブロック（ＳＩＢ）において送信される、Ｃ１に記載の方法。
［Ｃ１５］
前記シグナリング情報が前記ＳＩＢに追加される１つまたは複数の情報要素を使用して送信される、Ｃ１４に記載の方法。
［Ｃ１６］
周波数バンド識別子が、前記セルが主要サービングセルとしてサービスするのを禁止されることを示すために使用される、Ｃ１４に記載の方法。
［Ｃ１７］
前記モバイルデバイスが無線リソース制御（ＲＲＣ）接続状態にあるとき、前記共有アクセス高周波帯域において前記セルが動作するという前記決定に少なくとも一部基づいて、前記セルへの前記モバイルデバイスのハンドオーバーを防ぐことをさらに備える、Ｃ１に記載の方法。
［Ｃ１８］
前記シグナリング情報が、前記モバイルデバイスが無線リソース制御（ＲＲＣ）アイドル状態にあるときにセル再選択の検討に利用不可能である、前記共有アクセス高周波帯域の１つまたは複数の周波数を示す、Ｃ１に記載の方法。
［Ｃ１９］
前記共有アクセス高周波帯域において動作する前記セルにアクセスするための要求を前記モバイルデバイスから受信することと、
前記共有アクセス高周波帯域において動作する前記セルにアクセスするための前記要求を拒絶することとをさらに備え、
前記シグナリング情報を前記送信することが、前記セルが前記主要サービングセルとしてサービスするのを禁止されることを示す原因値を前記モバイルデバイスに送信することを備える、Ｃ１に記載の方法。
［Ｃ２０］
ワイヤレス通信のための装置であって、
プロセッサと、
前記プロセッサと電子通信しているメモリと、
前記メモリに記憶された命令とを備え、前記命令が、前記プロセッサによって、
共有アクセス高周波帯域においてセルが動作すると決定し、
前記共有アクセス高周波帯域において前記セルが動作するという前記決定に少なくとも一部基づいて、前記セルが主要サービングセルとしてサービスするのを禁止されることを示すシグナリング情報をモバイルデバイスに送信するように実行可能である、装置。
［Ｃ２１］
前記命令が、前記プロセッサによって、
前記共有アクセス高周波帯域の１つまたは複数の周波数範囲が主要サービングセルの選択に適していないと決定するように実行可能であり、前記１つまたは複数の周波数範囲が前記セルによって使用される周波数を含み、
前記シグナリング情報の少なくとも一部分が、前記共有アクセス高周波帯域の前記１つまたは複数の周波数範囲を一意に特定する、１つまたは複数の周波数バンド識別子またはチャネル識別子を備える、Ｃ２０に記載の装置。
［Ｃ２２］
ワイヤレス通信のための方法であって、
共有アクセス高周波帯域において動作するセルが主要サービングセルとしてサービスするのを禁止されることを示すシグナリング情報を基地局からモバイルデバイスにおいて受信することと、
前記受信されたシグナリング情報に少なくとも一部基づいて、前記主要サービングセルとしてサービスするのを禁止されるものとして前記セルを特定することとを備える、方法。
［Ｃ２３］
前記シグナリング情報が、専用シグナリングリソースを介して受信される、Ｃ２２に記載の方法。
［Ｃ２４］
前記シグナリング情報が、無線リソース制御（ＲＲＣ）シグナリングを介して受信される、Ｃ２３に記載の方法。
［Ｃ２５］
前記シグナリング情報が、前記モバイルデバイスが無線リソース制御（ＲＲＣ）アイドル状態にあるときに前記モバイルデバイスが監視すべきではない、前記共有アクセス高周波帯域の１つまたは複数の周波数を示す、Ｃ２４に記載の方法。
［Ｃ２６］
前記シグナリング情報が、前記モバイルデバイスがある時間期間の間主要サービングセルとして前記セルにアクセスするのを禁止されることを示す、Ｃ２２に記載の方法。
［Ｃ２７］
前記シグナリング情報の少なくとも一部分が、前記共有アクセス高周波帯域の１つまたは複数の周波数範囲を一意に特定する１つまたは複数の周波数バンド識別子またはチャネル識別子を備え、前記１つまたは複数の周波数範囲が前記セルによって使用される周波数を含み、
前記共有アクセス高周波帯域の前記１つまたは複数の周波数範囲が主要サービングセルの選択に適していないと決定することをさらに備える、Ｃ２２に記載の方法。
［Ｃ２８］
前記シグナリング情報の少なくとも一部分が、前記共有アクセス高周波帯域の周波数範囲を特定する複数の周波数バンド識別子またはチャネル識別子の１つを備え、前記周波数範囲が前記セルによって使用される周波数を含み、
前記共有アクセス高周波帯域の前記周波数範囲が主要サービングセルの選択に適していないと決定することをさらに備える、Ｃ２２に記載の方法。
［Ｃ２９］
前記シグナリング情報が、前記モバイルデバイスが無線リソース制御（ＲＲＣ）アイドル状態にあるときにセル再選択の検討に利用不可能である、前記共有アクセス高周波帯域の１つまたは複数の周波数を示す、Ｃ２２に記載の方法。
［Ｃ３０］
ワイヤレス通信のための装置であって、
プロセッサと、
前記プロセッサと電子通信しているメモリと、
前記メモリに記憶された命令とを備え、前記命令が、前記プロセッサによって、
共有アクセス高周波帯域において動作するセルが主要サービングセルとしてサービスするのを禁止されることを示すシグナリング情報を基地局からモバイルデバイスにおいて受信し、
前記受信されたシグナリング情報に少なくとも一部基づいて、主要サービングセルとしてサービスするのを禁止されるものとして前記セルを特定するように実行可能である、装置。
【図１】
0006517220.tif 000002
【図２】
0006517220.tif 000003
【図３】
0006517220.tif 000004
【図４】
0006517220.tif 000005
【図５】
0006517220.tif 000006
【図６】
0006517220.tif 000007
【図７】
0006517220.tif 000008
【図８】
0006517220.tif 000009
【図９】
0006517220.tif 000010
【図１０】
0006517220.tif 000011
【図１１】
0006517220.tif 000012
【図１２】
0006517220.tif 000013
【図１３】
0006517220.tif 000014
【図１４】
0006517220.tif 000015
【図１５】
0006517220.tif 000016
【図１６】
0006517220.tif 000017
【図１７】
0006517220.tif 000018
【図１８】
0006517220.tif 000019
【図１９】
0006517220.tif 000020
【図２０】
0006517220.tif 000021
【図２１】
0006517220.tif 000022
【図２２】
0006517220.tif 000023
【図２３】
0006517220.tif 000024
【図２４】
0006517220.tif 000025
【図２５】
0006517220.tif 000026